(57)【特許請求の範囲】
【請求項１】
絶縁性を有するボディと、
前記ボディに設けられた第４信号端子と、
前記ボディに前記第４信号端子と異なる高さ位置で第１方向に一列に配列された第５、第６信号端子とを備えており、
前記第６信号端子は、前記第１方向における前記第４信号端子と前記第５信号端子との間の領域に配置されており、
前記第６信号端子は、前記第４、第５信号端子間に生じるクロストークを低減するために、前記第４信号端子により伝送される信号の周波数の１／１０以下の周波数の信号を伝送可能な低速信号端子であるコネクタ。
【請求項２】
請求項１記載のコネクタにおいて、
前記ボディに前記第５、第６信号端子と同じ高さ位置で配設され且つ前記領域に配置された第１グランド端子を更に備えているコネクタ。
【請求項３】
請求項１又は２記載のコネクタにおいて、
前記ボディに前記第４信号端子と同じ高さ位置で配設され且つ前記領域に配置された第７信号端子及び第２グランド端子の少なくとも一方を更に備えており、
前記第７信号端子により伝送される信号の周波数は、前記第４、第５信号端子により伝送される信号の周波数の１／１０以下であるコネクタ。
【請求項４】
請求項１〜３の何れかに記載のコネクタにおいて、
複数の前記第６信号端子が前記領域に配置されているコネクタ。
【請求項５】
請求項１〜４の何れかに記載のコネクタにおいて、
前記ボディに前記第５、第６信号端子と同じ高さ位置で配設された第３グランド端子又は第８信号端子を更に備えており、
一対の前記第４信号端子は前記第１方向において互いに隣り合っており、
前記第３グランド端子又は第８信号端子は、前記一対の第４信号端子の間に配置されており、
前記第８信号端子により伝送される信号の周波数は、前記第４、第５信号端子により伝送される信号の周波数の１／１０以下であるコネクタ。
【請求項６】
請求項５に記載のコネクタにおいて、
前記ボディに前記第４信号端子と同じ高さ位置で配設された第４グランド端子又は第９信号端子を更に備えており、
一対の前記第５信号端子は前記第１方向において互いに隣り合っており、
前記第４グランド端子又は第９信号端子は、前記一対の第５信号端子の間に配置されており、
前記第９信号端子により伝送される信号の周波数は、前記第４、第５信号端子により伝送される信号の周波数の１／１０以下であるコネクタ。
【請求項７】
請求項６に記載のコネクタにおいて、
前記ボディに前記第５、第６信号端子と同じ高さ位置で配設され且つ前記第３グランド端子の隣に配置された第１０信号端子又は第５グランド端子を更に備えているコネクタ。
【請求項８】
請求項１〜４の何れかに記載のコネクタにおいて、
前記ボディに前記第５、第６信号端子と同じ高さ位置で配設されており且つ前記ボディの一部を挟んで前記第４信号端子に対向する位置に配置された第３グランド端子又は第８
信号端子を更に備えており、
前記第８信号端子により伝送される信号の周波数は、前記第４、第５信号端子により伝送される信号の周波数の１／１０以下であるコネクタ。
【請求項９】
請求項８に記載のコネクタにおいて、
前記ボディに前記第４信号端子と同じ高さ位置で配設されており且つ前記ボディの一部を挟んで前記第５信号端子に対向する位置に配置された第４グランド端子又は第９信号端子を更に備えており、
前記第９信号端子により伝送される信号の周波数は、前記第４、第５信号端子により伝送される信号の周波数の１／１０以下であるコネクタ。
【請求項１０】
請求項９に記載のコネクタにおいて、
一対の前記第４、第５信号端子は前記第１方向において互いに隣り合っており、
一対の前記第３グランド端子又は第８信号端子が前記ボディの一部を挟んで前記一対の第４信号端子に対向する位置に配置されており、
一対の前記第４グランド端子又は第９信号端子が前記ボディの一部を挟んで前記一対の第５信号端子に対向する位置に配置されているコネクタ。
【請求項１１】
請求項１〜４の何れかに記載のコネクタにおいて、
前記ボディに前記第５、第６信号端子と同じ高さ位置で配設された第３グランド端子及び第８信号端子と、
前記ボディに前記第４信号端子と同じ高さ位置で配設された第４グランド端子及び第９信号端子とを更に備えており、
一対の前記第４、第５信号端子は前記第１方向において互いに隣り合っており、
前記第３グランド端子が前記一対の第４信号端子のうちの一方と前記ボディの一部を挟んで対向する位置に配置されており、
前記第８信号端子が前記一対の第４信号端子のうちの他方と前記ボディの一部を挟んで対向する位置に配置されており、
前記第４グランド端子が前記一対の第５信号端子のうちの一方と前記ボディの一部を挟んで対向する位置に配置されており、
前記第９信号端子が前記一対の第５信号端子のうちの他方と前記ボディの一部を挟んで対向する位置に配置されており、
前記第８、第９信号端子により伝送される信号の周波数は、前記第４、第５信号端子により伝送される信号の周波数の１／１０以下であるコネクタ。
【請求項１２】
絶縁性を有するボディと、
前記ボディに設けられた第４信号端子と、
前記ボディに前記第４信号端子と異なる高さ位置で第１方向に一列に配列された第５信号端子及び複数の第６信号端子とを備えており、
前記第４信号端子は前記第１方向において隣り合う前記第６信号端子の間に配置されており、
前記第６信号端子は、前記第４、第５信号端子間に生じるクロストークを低減するために、前記第４信号端子により伝送される信号の周波数の１／１０以下の周波数の信号を伝送可能な低速信号端子であるコネクタ。
【請求項１３】
請求項１２記載のコネクタにおいて、
一対の前記第４信号端子が前記第１方向において互いに隣り合っているコネクタ。
【請求項１４】
絶縁性を有するボディと、
前記ボディに設けられた第４信号端子と、
前記ボディに前記第４信号端子と異なる高さ位置で第１方向に一列に配列された第５、第６信号端子及びグランド端子とを備えており、
前記第４信号端子は第１方向において隣り合う前記第６信号端子と前記グランド端子との間に配置されており、
前記第６信号端子は、前記第４、第５信号端子間に生じるクロストークを低減するために、前記第４信号端子により伝送される信号の周波数の１／１０以下の周波数の信号を伝送可能な低速信号端子であるコネクタ。
【請求項１５】
請求項１４記載のコネクタにおいて、
一対の前記第４信号端子が前記第１方向において互いに隣り合っており、
前記第６信号端子及びグランド端子の少なくとも一方が２つであり、
前記一対の第４信号端子のうちの一方の第４信号端子が、前記第１方向において隣り合う前記第６信号端子とグランド端子との間に配置されており、他方の第４信号端子が、前記第１方向において隣り合う前記第６信号端子の間又は前記グランド端子の間に配置されているコネクタ。
【請求項１６】
絶縁性を有するボディと、
前記ボディに設けられた第４信号端子と、
前記ボディに前記第４信号端子と異なる高さ位置で第１方向に一列に配列された第５、第６信号端子とを備えており、
前記第４信号端子は、前記ボディの一部を挟んで前記第６信号端子に対向する位置に配置されており、
前記第６信号端子は、前記第４、第５信号端子間に生じるクロストークを低減するために、前記第４信号端子により伝送される信号の周波数の１／１０以下の周波数の信号を伝送可能な低速信号端子であるコネクタ。
【請求項１７】
請求項１６記載のコネクタにおいて、
一対の前記第４信号端子が前記第１方向において互いに隣り合っており且つ前記ボディの一部を挟んで一対の前記第６信号端子に対向する位置に配置されているコネクタ。
【請求項１８】
請求項１６記載のコネクタにおいて、
前記ボディに前記第５、６信号端子と同じ高さ位置に配設されたグランド端子を更に備えており、
一対の前記第４信号端子が前記第１方向において互いに隣り合っており、
前記一対の第４信号端子のうちの一方が前記ボディの一部を挟んで前記第６信号端子に対向する位置に配置されており、他方が前記ボディの一部を挟んで前記グランド端子に対向する位置に配置されているコネクタ。
【請求項１９】
請求項１３、１５、１７又は１８記載のコネクタにおいて、
一対の前記第５信号端子が前記第１方向において互いに隣り合っているコネクタ。
【請求項２０】
絶縁性を有するボディと、
前記ボディに第１方向に一列で配列された第１、第２、第３信号端子及びグランド端子とを備えており、
前記第３信号端子及びグランド端子は前記第１、第２信号端子の間に配置されており、
前記第３信号端子は、前記第１、第２信号端子間に生じるクロストークを低減するために、前記第１、第２信号端子により伝送される信号の周波数の約１／１０以下の周波数の信号を伝送可能な低速信号端子であるコネクタ。
【請求項２１】
請求項２０記載のコネクタにおいて、
前記グランド端子は、前記第１方向における前記第１、第３信号端子の間及び前記第１方向における前記第２、第３信号端子の間に各々配置されているコネクタ。
【請求項２２】
請求項２０記載のコネクタにおいて、
前記第３信号端子は、前記第１方向における前記第１信号端子と前記グランド端子との間及び前記第１方向における前記第２信号端子と前記グランド端子との間に各々配置されているコネクタ。
【請求項２３】
絶縁性を有するボディと、
前記ボディに第１方向に一列で配列された第１、第２及び第３信号端子とを備えており、
前記第３信号端子は前記第１、第２信号端子の間に配置されており、
前記第３信号端子は、前記第１、第２信号端子間に生じるクロストークを低減するために、前記第１、第２信号端子により伝送される信号の周波数の約１／１００以下の周波数の信号を伝送可能な低速信号端子であるコネクタ。
【請求項２４】
請求項２３記載のコネクタにおいて、
複数の前記第３信号端子が前記第１方向における前記第１、第２信号端子の間に配置されているコネクタ。
【発明の詳細な説明】
【技術分野】
【０００１】
本発明は複数の端子を備えたコネクタに関する。
【背景技術】
【０００２】
この種のコネクタとしては、一列で配列された端子群を備えている。端子群は、複数ペアの一対の差動信号端子と、この差動信号端子のペア間に配置されたグランド端子とを有している（特許文献１参照）。すなわち、前記コネクタは、差動信号端子のペア間にグランド端子を配置することにより、差動信号端子のペア間のクロストークの防止を図っている。
【先行技術文献】
【特許文献】
【０００３】
【特許文献１】特開２０１０−２８７５６０号公報
【発明の概要】
【発明が解決しようとする課題】
【０００４】
前記コネクタは、端子間の狭ピッチ化及び／又は差動信号端子により伝送される高周波信号の高速化により、差動信号端子のペア間のクロストークが生じ易くなっている。このクロストークを防止するために、差動信号端子のペア間に複数のグランド端子を配置することが考えられる。しかし、グランド端子の数が増えると、前記コネクタの大型化を招来する。
【０００５】
本発明は、上記事情に鑑みて創案されたものであって、その目的とするところは、信号端子間のクロストークの低減及び装置の小型化を図ることができるコネクタを提供することにある。
【課題を解決するための手段】
【０００６】
本発明の第３コネクタは、絶縁性を有するボディと、前記ボディに設けられた第４信号端子と、前記ボディに前記第４信号端子と異なる高さ位置で第１方向に一列に配列された第５、第６信号端子とを備えている。前記第６信号端子は、前記第１方向における前記第４信号端子と前記第５信号端子との間の領域に配置されている。前記第６信号端子は、前記第４、第５信号端子間に生じるクロストークを低減するために、前記第４信号端子により伝送される信号の周波数の１／１０以下の周波数の信号を伝送可能な低速信号端子である。
【０００７】
このような発明の態様による場合、第６信号端子は第４、第５信号端子の間の領域に配置されている。第６信号端子により伝送される信号の周波数が、第４信号端子により伝送される信号の周波数の１／１０以下であるので、第６信号端子は、グランド端子と同等の機能を発揮し得ないものの、第４、第５信号端子間で擬似的なグランド端子として機能する。よって、第４、第５信号端子間に生じるクロストークが低減される。また、第６信号端子は、前記第３コネクタの制御信号用の端子や他の低速信号伝送用の端子として用いることが可能であるので、第４、第５信号端子の間の領域にグランド端子が配置される場合に比べて、前記第３コネクタの小型化を図ることができる。
【０００８】
前記第３コネクタは、前記ボディに前記第５、第６信号端子と同じ高さ位置で配設され且つ前記領域に配置された第１グランド端子を更に備えた構成とすることが可能である。このような発明の態様による場合、第４、第５信号端子の間の領域に、第６信号端子に加えて、第１グランド端子が配置されているので、第４、第５信号端子間に生じるクロストークが更に低減される。
【０００９】
前記第３コネクタは、前記ボディに前記第４信号端子と同じ高さ位置で配設され且つ前記領域に配置された第７信号端子及び第２グランド端子の少なくとも一方を更に備えた構成とすることが可能である。前記第７信号端子により伝送される信号の周波数は、前記第４、第５信号端子により伝送される信号の周波数の１／１０以下とすることが可能である。
【００１０】
このような発明の態様による場合、第４、第５信号端子の間の領域に、第６信号端子に加えて、第７信号端子及び第２グランド端子の少なくとも一方が配置されている。第７信号端子により伝送される信号の周波数は、第４、第５信号端子により伝送される信号の周波数の１／１０以下であるので、第７信号端子は、グランド端子と同等の機能を発揮し得ないものの、第４、第５信号端子間で擬似的なグランド端子として機能する。よって、第４、第５信号端子間に生じるクロストークが更に低減される。また、第７信号端子は、前記第３コネクタの制御信号用の端子や他の低速信号伝送用の端子として用いることが可能であるので、第４、第５信号端子の間の領域にグランド端子が追加配置される場合に比べて、前記第３コネクタの小型化を図ることができる。
【００１１】
前記第３コネクタは、複数の前記第６信号端子が前記領域に配置された構成とすることが可能である。このような発明の態様による場合、第４、第５信号端子間の距離が開くので、第４、第５信号端子間に発生するクロストークが更に低減される。
【００１２】
前記第３コネクタは、前記ボディに前記第５、第６信号端子と同じ高さ位置で配設された第３グランド端子又は第８信号端子を更に備えた構成とすることが可能である。この場合、一対の前記第４信号端子は前記第１方向において互いに隣り合うように配置することが可能である。前記第３グランド端子又は第８信号端子は、前記一対の第４信号端子の間に配置可能である。前記第８信号端子により伝送される信号の周波数は、前記第４、第５信号端子により伝送される信号の周波数の１／１０以下とすることが可能である。
【００１３】
このような発明の態様による場合、第３グランド端子又は第８信号端子が、一対の第４信号端子の間に配置されるので、一対の第４信号端子の間のインピーダンス調整を図ることができる。なお、第８信号端子により伝送される信号の周波数は、前記第４、第５信号端子により伝送される信号の周波数の１／１０以下であるので、第８信号端子は、グランド端子と同等の機能を発揮し得ないものの、第４信号端子間の平面位置的な位置で擬似的なグランド端子として機能する。
【００１４】
前記第３コネクタは、前記ボディに前記第４信号端子と同じ高さ位置で配設された第４グランド端子又は第９信号端子を更に備えた構成とすることが可能である。この場合、一対の前記第５信号端子は前記第１方向において互いに隣り合うように配置することが可能である。前記第４グランド端子又は第９信号端子は、前記一対の第５信号端子の間に配置可能である。前記第９信号端子により伝送される信号の周波数は、前記第４、第５信号端子により伝送される信号の周波数の１／１０以下とすることが可能である。
【００１５】
このような発明の態様による場合、第４グランド端子又は第９信号端子が、一対の第５信号端子の間に配置されるので、一対の第５信号端子の間のインピーダンス調整を図ることができる。なお、第９信号端子により伝送される信号の周波数は、前記第４、第５信号端子により伝送される信号の周波数の１／１０以下であるので、第９信号端子は、グランド端子と同等の機能を発揮し得ないものの、第５信号端子間の平面位置的な位置で擬似的なグランド端子として機能する。
【００１６】
前記第３コネクタは、前記ボディに前記第５、第６信号端子と同じ高さ位置で配設され且つ前記第３グランド端子の隣に配置された第１０信号端子又は第５グランド端子を更に備えた構成とすることが可能である。
【００１７】
前記第３コネクタは、前記ボディに前記第５、第６信号端子と同じ高さ位置で配設されており且つ前記ボディの一部を挟んで前記第４信号端子に対向する位置に配置された第３グランド端子又は第８信号端子を更に備えた構成とすることが可能である。前記第８信号端子により伝送される信号の周波数は、前記第４、第５信号端子により伝送される信号の周波数の１／１０以下とすることが可能である。
【００１８】
このような発明の態様による場合、第３グランド端子又は第８信号端子が、前記ボディの一部を挟んで第４信号端子に対向する位置に配置されるので、第４信号端子のインピーダンス調整を図ることができる。なお、第８信号端子により伝送される信号の周波数は、第４、第５信号端子により伝送される信号の周波数の１／１０以下であるので、第８信号端子は、グランド端子と同等の機能を発揮し得ないものの、第４信号端子に対して擬似的なグランド端子として機能する。
【００１９】
前記第３コネクタは、前記ボディに前記第４信号端子と同じ高さ位置で配設されており且つ前記ボディの一部を挟んで前記第５信号端子に対向する位置に配置された第４グランド端子又は第９信号端子を更に備えた構成とすることが可能である。前記第９信号端子により伝送される信号の周波数は、前記第４、第５信号端子により伝送される信号の周波数の１／１０以下とすることが可能である。
【００２０】
このような発明の態様による場合、第４グランド端子又は第９信号端子が、ボディの一部を挟んで第５信号端子に対向する位置に配置されるので、第５信号端子のインピーダンス調整を図ることができる。なお、第９信号端子により伝送される信号の周波数は、第４、第５信号端子により伝送される信号の周波数の１／１０以下であるので、第９信号端子は、グランド端子と同等の機能を発揮し得ないものの、第５信号端子に対して擬似的なグランド端子として機能する。
【００２１】
一対の前記第４、第５信号端子は前記第１方向において互いに隣り合うように配置することが可能である。一対の前記第３グランド端子又は第８信号端子が前記ボディの一部を挟んで前記一対の第４信号端子に対向する位置に配置可能である。一対の前記第４グランド端子又は第９信号端子が前記ボディの一部を挟んで前記一対の第５信号端子に対向する位置に配置可能である。
【００２２】
前記第３コネクタは、前記ボディに前記第５、第６信号端子と同じ高さ位置で配設された第３グランド端子及び第８信号端子と、前記ボディに前記第４信号端子と同じ高さ位置で配設された第４グランド端子及び第９信号端子とを更に備えた構成とすることが可能である。一対の前記第４、第５信号端子は前記第１方向において互いに隣り合うように配置することが可能である。前記第３グランド端子が前記一対の第４信号端子のうちの一方と前記ボディの一部を挟んで対向する位置に配置可能である。前記第８信号端子が前記一対の第４信号端子のうちの他方と前記ボディの一部を挟んで対向する位置に配置可能である。前記第４グランド端子が前記一対の第５信号端子のうちの一方と前記ボディの一部を挟んで対向する位置に配置可能である。前記第９信号端子が前記一対の第５信号端子のうちの他方と前記ボディの一部を挟んで対向する位置に配置可能である。前記第８、第９信号端子により伝送される信号の周波数は、前記第４、第５信号端子により伝送される信号の周波数の１／１０以下とすることが可能である。
【００２３】
このような発明の態様による場合、第３グランド端子が一対の第４信号端子のうちの一方とボディの一部を挟んで対向する位置に配置される。第８信号端子が一対の第４信号端子のうちの他方とボディの一部を挟んで対向する位置に配置される。第４グランド端子が一対の第５信号端子のうちの一方とボディの一部を挟んで対向する位置に配置される。第９信号端子が一対の第５信号端子のうちの他方とボディの一部を挟んで対向する位置に配置される。よって、一対の第４、第５信号端子のインピーダンス調整を図ることができる。なお、第８、第９信号端子により伝送される信号の周波数は、第４、第５信号端子により伝送される信号の周波数の１／１０以下であるので、第８、第９信号端子は、グランド端子と同等の機能を発揮し得ないものの、第４、第５信号端子に対して擬似的なグランド端子として機能する。
【００２４】
本発明の第４コネクタは、絶縁性を有するボディと、前記ボディに設けられた第４信号端子と、前記ボディに前記第４信号端子と異なる高さ位置で第１方向に一列に配列された第５信号端子及び複数の第６信号端子とを備えている。前記第４信号端子は前記第１方向において隣り合う前記第６信号端子の間に配置されている。前記第６信号端子は、前記第４、第５信号端子間に生じるクロストークを低減するために、前記第４信号端子により伝送される信号の周波数の１／１０以下の周波数の信号を伝送可能な低速信号端子である。
【００２５】
このような発明の態様による場合、第４信号端子は第１方向において隣り合う第６信号端子の間に配置されている。すなわち、第６信号端子が第４信号端子の平面位置的な第１方向の両隣に配置されている。第６信号端子により伝送される信号の周波数が、第４信号端子により伝送される信号の周波数の１／１０以下であるので、第６信号端子が第４信号端子の平面位置的な第１方向の両隣で、グランド端子と同等の機能を発揮し得ないものの、擬似的なグランド端子として機能する。よって、第４信号端子と、第６信号端子と同じ列に配置された第５信号端子との間に生じるクロストークが低減される。また、第６信号端子は前記第４コネクタの制御信号用の端子や他の低速信号伝送用の端子として用いることが可能であるので、第４信号端子の平面位置的な第１方向の両隣にグランド端子が配置される場合に比べて、前記第４コネクタの小型化を図ることができる。
【００２６】
一対の前記第５信号端子は前記第１方向において互いに隣り合う構成とすることが可能である。
【００２７】
本発明の第５コネクタは、絶縁性を有するボディと、前記ボディに設けられた第４信号端子と、前記ボディに前記第４信号端子と異なる高さ位置で第１方向に一列に配列された第５、第６信号端子及びグランド端子とを備えている。前記第４信号端子は第１方向において隣り合う前記第６信号端子と前記グランド端子との間に配置されている。前記第６信号端子は、前記第４、第５信号端子間に生じるクロストークを低減するために、前記第４信号端子により伝送される信号の周波数の１／１０以下の周波数の信号を伝送可能な低速信号端子である。
【００２８】
このような発明の態様による場合、第４信号端子は第１方向において隣り合う第６信号端子とグランド端子との間に配置されている。すなわち、第６信号端子及びグランド端子が第４信号端子の平面位置的な第１方向の両隣に配置されている。第６信号端子により伝送される信号の周波数が、第４信号端子により伝送される信号の周波数の１／１０以下であるので、第６信号端子が第４信号端子の平面位置的な第１方向の一方側の隣で、グランド端子と同等の機能を発揮し得ないものの、擬似的なグランド端子として機能する。第４信号端子の平面位置的な第１方向の他方側の隣には、グランド端子が配置されている。よって、第４信号端子と、第６信号端子及びグランド端子と同じ列に配置された第５信号端子と間に生じるクロストークが低減される。また、第６信号端子は前記第５コネクタの制御信号用の端子や他の低速信号伝送用の端子として用いることが可能であるので、第４信号端子の平面位置的な第１方向の両隣にグランド端子が配置される場合に比べて、前記第５コネクタの小型化を図ることができる。
【００２９】
一対の前記第４信号端子が前記第１方向において互いに隣り合う構成とすることが可能である。前記第６信号端子及びグランド端子の少なくとも一方が２つとすることが可能である。前記一対の第４信号端子のうちの一方の第４信号端子が、第１方向において隣り合う前記第６信号端子とグランド端子との間に配置されており、他方の第４信号端子が、第１方向において隣り合う前記第６信号端子の間又は前記グランド端子の間に配置されている。
【００３０】
本発明の第６コネクタは、絶縁性を有するボディと、前記ボディに設けられた第４信号端子と、前記ボディに前記第４信号端子と異なる高さ位置で第１方向に一列に配列された第５、第６信号端子とを備えた構成とすることが可能である。前記第４信号端子は、前記ボディの一部を挟んで前記第６信号端子に対向する位置に配置されている。前記第６信号端子は、前記第４、第５信号端子間に生じるクロストークを低減するために、前記第４信号端子により伝送される信号の周波数の１／１０以下の周波数の信号を伝送可能な低速信号端子である。
【００３１】
このような発明の態様による場合、第４信号端子は、第６信号端子とボディの一部を挟んで対向する位置に配置されている。第６信号端子により伝送される信号の周波数が、第４信号端子により伝送される信号の周波数の１／１０以下であるので、第６信号端子が第４信号端子のボディの一部を挟んで対向する位置で、グランド端子と同等の機能を発揮し得ないものの、擬似的なグランド端子として機能する。よって、第４信号端子と、第６信号端子と同じ列に配置された第５信号端子との間に生じるクロストークが低減される。また、第６信号端子は前記第６コネクタの制御信号用の端子や他の低速信号伝送用の端子として用いることが可能であるので、第４信号端子の平面位置的な第１方向の両隣にグランド端子が配置される場合に比べて、前記第６コネクタの小型化を図ることができる。
【００３２】
一対の前記第４信号端子が前記第１方向において互いに隣り合っており且つ前記ボディの一部を挟んで一対の前記第６信号端子に対向する位置に配置可能となっている。
【００３３】
前記第６コネクタは、前記ボディに前記第５、６信号端子と同じ高さ位置に配設されたグランド端子を更に備えた構成とすることが可能である。一対の前記第４信号端子が前記第１方向において互いに隣り合うように配置することが可能である。前記一対の第４信号端子のうちの一方が前記ボディの一部を挟んで前記第６信号端子に対向する位置に配置可能である。他方が前記ボディの一部を挟んで前記グランド端子に対向する位置に配置可能である。
【００３４】
一対の前記第５信号端子が前記第１方向において互いに隣り合う構成とすることが可能である。
【００３５】
本発明の第２コネクタは、絶縁性を有するボディと、前記ボディに第１方向に一列で配
列された第１、第２、第３信号端子及びグランド端子とを備えている。前記第３信号端子及びグランド端子は前記第１、第２信号端子の間に配置されている。前記第３信号端子により伝送される信号の周波数が、前記第１、第２信号端子により伝送される信号の周波数の約１／１０以下である。
【００３６】
このような発明の態様による場合、第３信号端子及びグランド端子は前記第１、第２信号端子の間に配置されている。第３信号端子により伝送される信号の周波数が、第１、第２信号端子により伝送される信号の周波数の約１／１０以下であるので、第３信号端子は、グランド端子と同等の機能を発揮し得ないものの、第１、第２信号端子間で擬似的なグランド端子として機能する。よって、第１、第２信号端子間に生じるクロストークが低減される。また、第３信号端子は、前記第２コネクタの制御信号用の端子や他の低速信号伝送用の端子として用いることが可能であるので、第１、第２信号端子間に複数のグランド端子が配置される場合に比べて、前記第２コネクタの小型化を図ることができる。
【００３７】
前記グランド端子は、前記第１方向における前記第１、第３信号端子の間及び前記第１方向における前記第２、第３信号端子の間に各々配置された構成とすることが可能である。又は、前記第３信号端子は、前記第１方向における前記第１信号端子と前記グランド端子との間及び前記第１方向における前記第２信号端子と前記グランド端子との間に各々配置された構成とすることが可能である。
【００３８】
本発明の第１コネクタは、絶縁性を有するボディと、前記ボディに第１方向に一列で配列された第１、第２及び第３信号端子とを備えている。前記第３信号端子は前記第１、第２信号端子の間に配置されている。前記第３信号端子により伝送される信号の周波数が、前記第１、第２信号端子により伝送される信号の周波数の約１／１００以下である。
【００３９】
このような発明の態様による場合、第３信号端子は第１、第２信号端子の間に配置されている。第３信号端子により伝送される信号の周波数が、第１、第２信号端子により伝送される信号の周波数の約１／１００以下であるので、第３信号端子は、グランド端子と同等の機能を発揮し得ないものの、第１、第２信号端子間で擬似的なグランド端子として機能する。よって、第１、第２信号端子間に生じるクロストークが低減される。また、第３信号端子は、前記第１コネクタの制御信号用の端子や他の低速信号伝送用の端子として用いることが可能であるので、第１、第２信号端子間にグランド端子が配置される場合に比べて、前記第１コネクタの小型化を図ることができる。
【００４０】
複数の前記第３信号端子が前記第１方向における前記第１、第２信号端子の間に配置されていることが好ましい。このような発明の態様による場合、第１、第２信号端子間の距離が開くので、第１、第２信号端子間に発生するクロストークが更に低減される。
【００４１】
一対の前記第１信号端子は前記第１方向において互いに隣り合う態様とすることが可能である。一対の前記第２信号端子は前記第１方向において互いに隣り合う態様とすることが可能である。前記一対の第１及び／又は第２信号端子は差動ペアとすることが可能である。
【図面の簡単な説明】
【００４２】
【図１】図１は、本発明の実施例１に係るコネクタの正面、平面及び右側面を表した概略的斜視図である。
【図２Ａ】図２Ａは、前記コネクタの図１中の２Ａ−２Ａ断面図である。
【図２Ｂ】図２Ｂは、前記コネクタの図１中の２Ｂ−２Ｂ断面図である。
【図２Ｃ】図２Ｃは、前記コネクタの図１中の２Ｃ−２Ｃ断面図である。
【図３】図３は、前記コネクタの端子の図２Ａ中の３−３端面図である。
【図４】図４は、本発明の実施例２に係るコネクタの端子群の端子の配置の一例を示す端面図である。
【図５】図５は、前記コネクタの端子群の端子の配置の別の一例を示す端面図である。
【図６】図６は、本発明の実施例３に係るコネクタの概略的正面図である。
【図７Ａ】図７Ａは、前記コネクタの図６中の７Ａ−７Ａ断面図である。
【図７Ｂ】図７Ｂは、前記コネクタの図６中の７Ｂ−７Ｂ断面図である。
【図８Ａ】図８Ａは、実験例１の端子群の端子の配置を示す説明図である。
【図８Ｂ】図８Ｂは、実験例２の端子群の端子の配置を示す説明図である。
【図９Ａ】図９Ａは、実験例１のノイズ特性を示すグラフである。
【図９Ｂ】図９Ｂは、実験例２のノイズ特性を示すグラフである。
【図１０】図１０は、本発明の実施例４に係るコネクタの概略的正面図である。
【図１１】図１１は、本発明の実施例５に係るコネクタの概略的正面図である。
【図１２Ａ】図１２Ａは、実施例２の前記コネクタの端子群の第１設計変形例の端子の配置を説明するための図である。
【図１２Ｂ】図１２Ｂは、実施例２の前記コネクタの端子群の第２設計変形例の端子の配置を説明するための図である。
【図１３Ａ】図１３Ａは、実施例１の前記コネクタの端子群の第１設計変形例の端子の配置を説明するための図である。
【図１３Ｂ】図１３Ｂは、実施例２の前記コネクタの端子群の第３設計変形例の端子の配置を説明するための図である。
【図１３Ｃ】図１３Ｃは、実施例２の前記コネクタの端子群の第４設計変形例の端子の配置を説明するための図である。
【図１４Ａ】図１４Ａは、実施例３の前記コネクタの端子群Ｔ１の第１設計変形例の端子の配置を説明するための図である。
【図１４Ｂ】図１４Ｂは、実施例３の前記コネクタの端子群Ｔ１の第２設計変形例の端子の配置を説明するための図である。
【図１４Ｃ】図１４Ｃは、実施例３の前記コネクタの端子群Ｔ１の第３設計変形例の端子の配置を説明するための図である。
【図１４Ｄ】図１４Ｄは、実施例３の前記コネクタの端子群Ｔ１の第４設計変形例の端子の配置を説明するための図である。
【図１４Ｅ】図１４Ｅは、実施例３の前記コネクタの端子群Ｔ１の第５設計変形例の端子の配置を説明するための図である。
【図１４Ｆ】図１４Ｆは、実施例３の前記コネクタの端子群Ｔ１の第６設計変形例の端子の配置を説明するための図である。
【図１４Ｇ】図１４Ｇは、実施例３の前記コネクタの端子群Ｔ１の第７設計変形例の端子の配置を説明するための図である。
【図１４Ｈ】図１４Ｈは、実施例３の前記コネクタの端子群Ｔ１の第８設計変形例の端子の配置を説明するための図である。
【図１５Ａ】図１５Ａは、実施例３の前記コネクタの端子群Ｔ１の第９設計変形例の端子の配置を説明するための図である。
【図１５Ｂ】図１５Ｂは、実施例３の前記コネクタの端子群Ｔ１の第１０設計変形例の端子の配置を説明するための図である。
【図１５Ｃ】図１５Ｃは、実施例３の前記コネクタの端子群Ｔ１の第１１設計変形例の端子の配置を説明するための図である。
【図１６Ａ】図１６Ａは、実施例４の前記コネクタの端子群Ｔ３の第１設計変形例の端子の配置を説明するための図である。
【図１６Ｂ】図１６Ｂは、実施例４の前記コネクタの端子群Ｔ３の第２設計変形例の端子の配置を説明するための図である。
【図１６Ｃ】図１６Ｃは、実施例４の前記コネクタの端子群Ｔ３の第３設計変形例の端子の配置を説明するための図である。
【図１６Ｄ】図１６Ｄは、実施例４の前記コネクタの端子群Ｔ３の第４設計変形例の端子の配置を説明するための図である。
【図１６Ｅ】図１６Ｅは、実施例４の前記コネクタの端子群Ｔ３の第５設計変形例の端子の配置を説明するための図である。
【図１６Ｆ】図１６Ｆは、実施例４の前記コネクタの端子群Ｔ３の第６設計変形例の端子の配置を説明するための図である。
【発明を実施するための形態】
【００４３】
以下、本発明の実施例１〜５に係るコネクタついて説明する。
【実施例１】
【００４４】
まず、本発明の実施例１に係るコネクタについて図１〜図３を参照しつつ説明する。図１に示すコネクタは図示しない基板上に実装可能なレセプタクルであって、図示しないプラグが接続可能となっている。前記コネクタは、ボディ１００と、シェル２００と、端子群Ｔとを備えている。以下、前記コネクタの各構成要素について詳しく説明する。なお、図１〜図２Ｃにおいて、前記コネクタの幅方向であり且つ端子群Ｔの端子の配列方向をＸ（第１方向）、コネクタの前後方向をＹ、コネクタの高さ方向をＺとして示している。Ｙ方向はＸ方向に直交し、Ｚ方向はＸ、Ｙ方向に直交している。
【００４５】
ボディ１００は絶縁樹脂製の射出成型品である。ボディ１００は、図２Ａ〜図２Ｃに示すように、本体部１１０と、凸部１２０とを有している。本体部１１０は矩形状である。凸部１２０は、本体部１１０のＹ方向の第１面（前面）の中央部に設けられ、Ｙ方向に延びた矩形状の板である。凸部１２０のＺ方向の第１面（上面）には、Ｙ方向に延びた複数の溝１２１がＸ方向に間隔をあけて配設されている。
【００４６】
シェル２００は、導電性を有する金属板で構成された角筒であって、ボディ１００の外周を覆っている。
【００４７】
端子群Ｔは、図３に示すように、一対の第１信号端子３１０Ｓと、一対の第２信号端子３２０Ｓと、２本の第３信号端子３３０Ｓとを有している。
【００４８】
各第１信号端子３１０Ｓは、図２Ａに示すように、Ｙ方向に延びた導電性を有する金属板である。各第１信号端子３１０Ｓは、中間部３１１Ｓと、接触部３１２Ｓと、垂下部３１３Ｓと、テール部３１４Ｓとを有している。中間部３１１ＳはＹ方向に延びた板であって、ボディ１００の本体部１１０に埋設され保持されている。中間部３１１Ｓは、Ｙ方向の第１、第２端を有している。接触部３１２Ｓは、中間部３１１Ｓの前記第１端に連接され且つＹ方向に延びた板である。この接触部３１２Ｓは、ボディ１００の凸部１２０の溝１２１に挿入されている。接触部３１２Ｓの先端部には、Ｚ方向の上方に円弧状に湾曲した湾曲部が設けられている。前記湾曲部が上記プラグの信号用のコンタクトに接触可能となっている。
【００４９】
垂下部３１３Ｓは、中間部３１１Ｓの前記第２端に連接され且つ中間部３１１Ｓに対して直角に折り曲げられた略Ｌ字状の板であって、本体部１１０のＹ方向の第２面（後面）に沿ってＺ方向に延びている。テール部３１４Ｓは、垂下部３１３ＳのＺ方向の下端に連設され且つ垂下部３１３Ｓに対して直角に折り曲げられた板であって、Ｙ方向に延びている。テール部３１４Ｓは、上記基板の信号ラインに接続可能となっている。
【００５０】
各第２信号端子３２０Ｓは、図２Ｃに示すように、Ｙ方向に延びる導電性を有する金属板であり且つ第１信号端子３１０Ｓと同じ形状となっている。各第２信号端子３２０Ｓは、中間部３２１Ｓと、接触部３２２Ｓと、垂下部３２３Ｓと、テール部３２４Ｓとを有している。なお、第２信号端子３２０Ｓの各部については、第１信号端子３１０Ｓと説明が重複するため省略する。
【００５１】
各第３信号端子３３０Ｓは、図２Ｃに示すように、Ｙ方向に延びる導電性を有する金属板であり且つ第１信号端子３１０Ｓと同じ形状となっている。各第３信号端子３３０Ｓは、中間部３３１Ｓと、接触部３３２Ｓと、垂下部３３３Ｓと、テール部３３４Ｓとを有している。なお、第３信号端子３３０Ｓの各部については、第１信号端子３１０Ｓと説明が重複するため省略する。
【００５２】
上述の端子群Ｔは、図３に示すように、３１０Ｓ、３１０Ｓ、３３０Ｓ、３３０Ｓ、３
２０Ｓ、３２０Ｓの順で、ボディ１００にＸ方向に間隔をあけて一列で配列されている（すなわち、端子群Ｔの端子はボディ１００にＸ方向に一列で配列されている）。一対の第１信号端子３１０Ｓは、Ｘ方向において互いに隣り合い、高速差動信号伝送用の差動ペアを構成している。一対の第２信号端子３２０Ｓは、Ｘ方向において互いに隣り合い、高速差動信号伝送用の差動ペアを構成している。２本の第３信号端子３３０Ｓは、図３に示すように、Ｘ方向における一対の第１信号用端子３１０Ｓのうちの一方の第１信号用端子３１０Ｓと一対の第２信号用端子３２０Ｓのうちの一方の第２信号用端子３２０Ｓとの間に間隔をあけて配置されている。
【００５３】
第３信号端子３３０Ｓにより伝送される信号の周波数は、第１、第２信号端子３１０Ｓ、３２０Ｓにより各々伝送される高速差動信号の周波数の約１／１００以下である。例えば、一対の第１信号端子３１０Ｓにより伝送される高速差動信号の周波数が数ＧＨｚ、一対の第２信号端子３２０Ｓにより各々伝送される高速差動信号の周波数が数ＧＨｚ、第３信号端子３３０Ｓにより伝送される信号の周波数は数ＭＨｚとすることができる。また、一対の第１信号端子３１０Ｓにより伝送される高速差動信号の周波数が数ＧＨｚ、一対の第２信号端子３２０Ｓにより各々伝送される高速差動信号の周波数が数ＧＨｚ、第３信号端子３３０Ｓにより伝送される信号の周波数は数十ＭＨｚとすることができる。これにより、信号伝送時に第３信号端子３３０Ｓは一対の第１信号端子３１０Ｓと一対の第２信号端子３２０Ｓとの間で擬似的なグランド端子として機能する。但し、第３信号端子３３０Ｓはグランド端子と同等レベルの信号遮蔽機能（クロストーク低減機能）を発揮するものではない。
【００５４】
以下、上述した構成のコネクタの製造方法を詳しく説明する。まず、導電性を有する金属板を用意する。その後、前記金属板を所定の金型を用いてプレス成型し、第１、第２、第３信号端子３１０Ｓ、３２０Ｓ、３３０Ｓを作成する。
【００５５】
その後、絶縁樹脂を射出成型し、ボディ１００を作成する。このとき、第１信号端子３１０Ｓの中間部３１１Ｓ、第２信号端子３２０Ｓの中間部３２１Ｓ及び第３信号端子３３０Ｓの中間部３３１Ｓが本体部１１０にインサート成型される。これにより、第１、第２、第３信号端子が、３１０Ｓ、３１０Ｓ、３３０Ｓ、３３０Ｓ、３２０Ｓ、３２０Ｓの順でボディ１００にＸ方向に一列で配列される。
【００５６】
その後、ボディ１００をシェル２００に挿入する。このように製造されたコネクタは、上記基板上に実装される。このとき、テール部３１４Ｓ、３２４Ｓ、３３４Ｓが上記基板の信号ラインに半田接続される。
【００５７】
このようなコネクタによる場合、２本の第３信号端子３３０Ｓが、第１信号用端子３１０Ｓと第２信号用端子３２０Ｓとの間に間隔をあけて配置されている。第３信号端子３３０Ｓにより伝送される信号の周波数は、第１、第２信号端子３１０Ｓ、３２０Ｓにより各々伝送される高速差動信号の周波数の約１／１００以下であるので、第３信号端子３３０Ｓは、信号伝送時に一対の第１信号端子３１０Ｓと一対の第２信号端子３２０Ｓとの間で擬似的なグランド端子として機能する。よって、一対の第１信号端子３１０Ｓにより伝送される差動信号と一対の第２信号端子３２０Ｓにより伝送される差動信号とのクロストークが低減される。第３信号端子３３０Ｓは、コネクタの制御信号用の端子や他の低速信号伝送用の端子として用いることが可能であるので、第１、第２信号端子３１０Ｓ、３２０Ｓ間にグランド端子が配置される場合に比べて、前記コネクタのＸ方向の寸法の低減を図ることができ、当該コネクタの小型化を図ることができる。
【実施例２】
【００５８】
次に、本発明の実施例２に係るコネクタについて図４又は図５を参照しつつ説明する。
図４又は図５に示すコネクタは、端子群Ｔ’が端子群Ｔと相違している以外、実施例１のコネクタと略同じである。よって、端子群Ｔ’についてのみ詳しく説明し、実施例１と重複する説明については省略する。なお、実施例２のコネクタの端子群の符号については、’を付して実施例１の端子群Ｔと区別する。
【００５９】
端子群Ｔ’は、一対の第１信号端子３１０Ｓと、一対の第２信号端子３２０Ｓと、２本の第３信号端子３３０Ｓと、２本のグランド端子３４０Ｇとを有している。第１、第２、第３信号端子３１０Ｓ、３２０Ｓ、３３０Ｓは実施例１と同じものである。各グランド端子３４０Ｇは、Ｙ方向に延びる導電性を有する金属板であり且つ第１信号端子３１０Ｓと同じ構成となっている。すなわち、グランド端子３４０Ｇは、中間部と、接触部と、垂下部と、テール部とを有している。グランド端子３４０Ｇのテール部は、上記基板のグランドラインに接続可能となっている。なお、グランド端子３４０Ｇの各部については、第１信号端子３１０Ｓと説明が重複するため省略する。
【００６０】
この端子群Ｔ’は、図４に示すように３１０Ｓ、３１０Ｓ、３４０Ｇ、３３０Ｓ、３３０Ｓ、３４０Ｇ、３２０Ｓ、３２０Ｓの順又は図５に示すように３１０Ｓ、３１０Ｓ、３３０Ｓ、３４０Ｇ、３４０Ｇ、３３０Ｓ、３２０Ｓ、３２０Ｓの順で、ボディ１００にＸ方向に間隔をあけて一列で配列されている。２本のグランド端子３４０Ｇ及び第３信号用端子３３０Ｓが、Ｘ方向における一対の第１信号用端子３１０Ｓのうちの一方の第１信号用端子３１０Ｓと一対の第２信号用端子３２０Ｓのうちの一方の第２信号用端子３２０Ｓとの間にＸ方向に間隔をあけて配置されている。図４に示す配列では、グランド端子３４０ＧがＸ方向における第３信号用端子３３０Ｓと第１信号用端子３１０Ｓとの間及びＸ方向における第３信号用端子３３０Ｓと第２信号用端子３２０Ｓとの間に配置されている。図５に示す配列では、第３信号用端子３３０ＳがＸ方向におけるグランド端子３４０Ｇと第１信号用端子３１０Ｓとの間及びＸ方向におけるグランド端子３４０Ｇと第２信号用端子３２０Ｓとの間に配置されている。
【００６１】
第３信号端子３３０Ｓにより伝送される信号の周波数は、第１、第２信号端子３１０Ｓ、３２０Ｓにより各々伝送される高速差動信号の周波数の約１／１０以下である。例えば、一対の第１信号端子３１０Ｓにより伝送される高速差動信号の周波数が数ＧＨｚ〜１０数ＧＨｚ、一対の第２信号端子３２０Ｓにより各々伝送される高速差動信号の周波数が数ＧＨｚ〜１０数ＧＨｚ、第３信号端子３３０Ｓにより伝送される信号の周波数は数百ＭＨｚ〜１ＧＨｚ程度とすることが可能である。これにより、信号伝送時に第３信号端子３３０Ｓは一対の第１信号端子３１０Ｓと一対の第２信号端子３２０Ｓとの間で擬似的なグランド端子として機能する。
【００６２】
このようなコネクタによる場合、２本の第３信号用端子３３０Ｓ及びグランド端子３４０Ｇが、第１信号用端子３１０Ｓと第２信号用端子３２０Ｓとの間に間隔をあけて配置されている。第３信号端子３３０Ｓにより伝送される信号の周波数は、第１、第２信号端子３１０Ｓ、３２０Ｓにより各々伝送される高速差動信号の周波数の約１／１０以下であるので、第３信号端子３３０Ｓは、信号伝送時に一対の第１信号端子３１０Ｓと一対の第２信号端子３２０Ｓとの間で擬似的なグランド端子として機能する。よって、一対の第１信号端子３１０Ｓにより伝送される差動信号と一対の第２信号端子３２０Ｓにより伝送される差動信号とのクロストークが低減される。第３信号端子３３０Ｓは、コネクタの制御信号用の端子や他の低速信号伝送用の端子として用いることが可能であるので、第１、第２信号端子３１０Ｓ、３２０Ｓ間にグランド端子が配置される場合に比べて、前記コネクタのＸ方向の寸法の低減を図ることができ、当該コネクタの小型化を図ることができる。
【実施例３】
【００６３】
次に、本発明の実施例３に係るコネクタについて図６〜図７Ｂを参照しつつ説明する。
図６に示すコネクタは図示しない基板上に実装可能なレセプタクルであって、図示しないプラグが接続可能となっている。前記コネクタは、ボディ４００と、シェル５００と、端子群Ｔ１、Ｔ２とを備えている。以下、前記コネクタの各構成要素について詳しく説明する。なお、図６〜図７Ｂにおいて、コネクタの幅方向であり且つ端子群Ｔ１、Ｔ２の配列方向をＸ（第１方向）、コネクタの前後方向をＹ、コネクタの高さ方向をＺとして示している。Ｙ方向はＸ方向に直交し、Ｚ方向はＸ、Ｙ方向に直交している。
【００６４】
ボディ４００は絶縁樹脂製の射出成型品である。ボディ４００は、図７Ａ及び図７Ｂに示すように、本体部４１０と、凸部４２０とを有している。本体部４１０は矩形状である。凸部４２０は、本体部４１０のＹ方向の第１面（前面）の中央部に設けられ、Ｙ方向に延びた矩形状の板である。凸部４２０のＺ方向の第１面（上面）には、Ｙ方向に延びた複数の溝４２１がＸ方向に間隔をあけて配設されている。凸部４２０のＺ方向の第２面（下面）には、Ｙ方向に延びた複数の溝４２２がＸ方向に間隔をあけて配設されている。溝４２１、４２２はＸ方向に千鳥配置されている。
【００６５】
シェル５００は、導電性を有する金属板で構成された角筒であって、ボディ４００の外周を覆っている。
【００６６】
端子群Ｔ１、Ｔ２は異なる規格に対応している。例えば、端子群Ｔ１、Ｔ２は、ＨＤＭＩ(登録商標)（High-Definition Multimedia Interface）の規格、ＵＳＢ３.０（Universal Serial Bus）の規格及びＤｉｓｐｌａｙＰｏｒｔの規格のうち何れかに対応した構成とすること
が可能である。但し、本実施例３では、端子群Ｔ１、Ｔ２が対応している規格を断定せずに説明する。
【００６７】
端子群Ｔ１は、図６に示すように、複数の第４信号端子６１０Ｓと、複数の第５信号端子６２０Ｓと、複数の第６信号端子６３０Ｓと、グランド端子６４０Ｇ（第３グランド端子）と、複数の第７信号端子６５０Ｓと、グランド端子６６０Ｇ（第４グランド端子）、第１０信号端子６７０Ｓとを有している。
【００６８】
各第４信号端子６１０Ｓは、図７Ａに示すようにＹ方向に延びた導電性を有する金属板である。各第４信号端子６１０Ｓは、中間部６１１Ｓと、接触部６１２Ｓと、垂下部６１３Ｓと、テール部６１４Ｓとを有している。中間部６１１ＳはＹ方向に延びた板であって、ボディ４００の本体部４１０に埋設され保持されている。中間部６１１Ｓは、Ｙ方向の第１、第２端を有している。接触部６１２Ｓは、中間部６１１Ｓの前記第１端に連接され且つＹ方向に延びた板である。この接触部６１２Ｓはボディ４００の凸部４２０の溝４２２に挿入され、上記プラグの信号用のコンタクトに接触可能となっている。
【００６９】
垂下部６１３Ｓは、中間部６１１Ｓの前記第２端に連接され且つ中間部６１１Ｓに対して直角に折り曲げられた略Ｌ字状の板であって、Ｚ方向に延びている。テール部６１４Ｓは、垂下部６１３ＳのＺ方向の下端に連設され且つ垂下部６１３Ｓに対して直角に折り曲げられた板であって、Ｙ方向に延びている。テール部６１４Ｓは、上記基板の信号ラインに接続可能となっている。
【００７０】
各第７信号端子６５０Ｓ及びグランド端子６６０Ｇは、Ｙ方向に延びる導電性を有する金属板であり且つ第４信号端子６１０Ｓと同じ形状となっている。各第７信号端子６５０Ｓ及びグランド端子６６０Ｇは、中間部と、接触部と、垂下部と、テール部とを有している。第７信号端子６５０Ｓのテール部は、上記基板の信号ラインに接続可能となっている。グランド端子６６０Ｇのテール部は、上記基板のグランドラインに接続可能となっている。
なお、第７信号端子６５０Ｓ及びグランド端子６６０Ｇの各部については、第４信号端子
６１０Ｓと説明が重複するため省略する。
【００７１】
各第６信号端子６３０Ｓは、図７Ｂに示すようにＹ方向に延びた導電性を有する金属板である。各第６信号端子６３０Ｓは、中間部６３１Ｓと、接触部６３２Ｓと、垂下部６３３Ｓと、テール部６３４Ｓとを有している。中間部６３１ＳはＹ方向に延びた板であって、ボディ４００の本体部４１０の貫通孔４１１に圧入保持されている。中間部６３１Ｓは、Ｙ方向の第１、第２端を有している。接触部６３２Ｓは、中間部６３１Ｓの前記第１端に連接され且つＹ方向に延びた板である。この接触部６３２Ｓはボディ４００の凸部４２０の溝４２１に挿入され、上記プラグの信号用のコンタクトに接触可能となっている。
【００７２】
垂下部６３３Ｓは、中間部６３１Ｓの前記第２端に連接され且つ中間部６３１Ｓに対して直角に折り曲げられた略Ｌ字状の板であって、本体部４１０のＹ方向の第２面（後面）に沿ってＺ方向に延びている。垂下部６３３ＳのＺ方向の寸法は、垂下部６１３ＳのＺ方向の寸法よりも大きい。テール部６３４Ｓは、垂下部６３３ＳのＺ方向の下端に連設され且つ垂下部６３３Ｓに対して直角に折り曲げられた板であって、Ｙ方向に延びている。テール部６３４Ｓは、上記基板の信号ラインに接続可能となっている。
【００７３】
各第５信号端子６２０Ｓ、グランド端子６４０Ｇ及び第１０信号端子６７０Ｓは、Ｙ方向に延びる導電性を有する金属板であり且つ第６信号端子６３０Ｓと同じ形状となっている。各第５信号端子６２０Ｓ、グランド端子６４０Ｇ及び第１０信号端子６７０Ｓは、中間部と、接触部と、垂下部と、テール部とを有している。第５信号端子６２０Ｓ及び第１０信号端子６７０Ｓのテール部は、上記基板の信号ラインに各々接続可能となっている。グランド端子６４０Ｇのテール部は、上記基板のグランドラインに接続可能となっている。なお、第５信号端子６２０Ｓ、グランド端子６４０Ｇ及び第１０信号端子６７０Ｓの各部については、第６信号端子６３０Ｓと説明が重複するため省略する。
【００７４】
上述した端子群Ｔ１は、図６に示すように、端子が上下２列で千鳥配置されている。端子群Ｔ１の上列は６２０Ｓ、６２０Ｓ、６３０Ｓ、６３０Ｓ、６４０Ｇ、６７０Ｓの順でボディ４００にＸ方向に間隔をあけて一列で配列されている。端子群Ｔ１の下列は、６６０Ｇ、６５０Ｓ、６５０Ｓ、６１０Ｓ、６１０Ｓの順でボディ４００にＸ方向に間隔をあけて一列で配列されている。一対の第４信号端子６１０Ｓは、Ｘ方向において互いに隣り合い、高速差動信号伝送用の差動ペアを構成している。一対の第５信号端子６２０Ｓは、Ｘ方向において互いに隣り合い、高速差動信号伝送用の差動ペアを構成している。Ｘ方向における第４信号端子６１０Ｓと第５信号端子６２０Ｓとの間の領域αに、第６信号端子６３０Ｓ及び第７信号端子６５０ＳがＸ方向に間隔をあけて配置されている。
【００７５】
グランド端子６４０Ｇは、一対の第４信号端子６１０Ｓのとの間に平面位置的に配置されている。グランド端子６６０Ｇは、一対の第５信号端子６２０Ｓのとの間に平面位置的に配置されている。第１０信号端子６７０Ｓは、端子群Ｔ１の最端且つグランド端子６４０Ｇの隣に配置されている。
【００７６】
第６、第７、第１０信号端子６３０Ｓ、６５０Ｓ、６７０Ｓにより各々伝送される信号の周波数は、第４、第５信号端子６１０Ｓ、６２０Ｓにより各々伝送される高速差動信号の周波数の約１／１０以下である。例えば、一対の第４信号端子６１０Ｓにより伝送される高速差動信号の周波数が数ＧＨｚ〜１０数ＧＨｚ、一対の第５信号端子６２０Ｓにより各々伝送される高速差動信号の周波数が数ＧＨｚ〜１０数ＧＨｚ、第６、第７、第１０信号端子６３０Ｓ、６５０Ｓ、６７０Ｓにより伝送される信号の周波数は数百ＭＨｚ〜１ＧＨｚ程度とすることが可能である。これにより、信号伝送時に第６信号端子６３０Ｓ及び第７信号端子６５０Ｓが、第４信号端子６１０Ｓと第５信号端子６２０Ｓとの間の領域αで擬似的なグランド端子として機能する。但し、第６、第７、信号端子６３０Ｓ、６５０Ｓは、グランド端子と同等レベルの信号遮蔽機能（クロストーク低減機能）を発揮するものではない。
【００７７】
端子群Ｔ２は、複数の信号端子７１０Ｓと、複数の信号端子７２０Ｓと、複数のグランド端子７３０Ｇ、７４０Ｇとを有している。この端子群Ｔ２は、端子が上下２列でＸ方向に千鳥配置されている。端子群Ｔ２の上列は７４０Ｇ、７２０Ｓ、７２０Ｓ、７４０Ｇの順でボディ４００にＸ方向に間隔をあけて一列で配列されている。端子群Ｔ２の下列は７１０Ｓ、７１０Ｓ、７３０Ｇ、７１０Ｓ、７１０Ｓの順でボディ４００にＸ方向に間隔をあけて一列で配列されている。
【００７８】
各信号端子７２０Ｓ及びグランド端子７４０ＧはＹ方向に延びる導電性を有する金属板であり且つ第６信号端子６３０Ｓと同じ形状となっている。各信号端子７２０Ｓ及びグランド端子７４０Ｇは、中間部と、接触部と、垂下部と、テール部とを有している。なお、信号端子７２０Ｓ及びグランド端子７４０Ｇの各部については、第６信号端子６３０Ｓと説明が重複するため省略する。
【００７９】
各信号端子７１０Ｓ及びグランド端子７３０ＧはＹ方向に延びる導電性を有する金属板であり且つ第４信号端子６１０Ｓと同じ形状となっている。各信号端子７１０Ｓ及びグランド端子７３０Ｇは、中間部と、接触部と、垂下部と、テール部とを有している。なお、信号端子７１０Ｓ及びグランド端子７３０Ｇの各部については、第４信号端子６１０Ｓと説明が重複するため省略する。
【００８０】
一対の信号端子７１０Ｓは、Ｘ方向において互いに隣り合い、高速差動信号伝送用の差動ペアを構成している。一対の信号端子７２０Ｓは、Ｘ方向において互いに隣り合い、高速差動信号伝送用の差動ペアを構成している。グランド端子７３０Ｇは、一対の信号端子７２０Ｓの間に平面位置的に各々配置されている。グランド端子７４０Ｇは、一対の信号端子７１０Ｓの間に平面位置的に各々配置されている。
【００８１】
このようなコネクタによる場合、端子群Ｔ１において、第６、第７信号端子６３０Ｓ、６５０Ｓが、Ｘ方向における第４信号端子６１０Ｓと第５信号端子６２０Ｓとの間の領域αに配置されている。第６、第７信号端子６３０Ｓ、６５０Ｓにより各々伝送される信号の周波数は、第４、第５信号端子６１０Ｓ、６２０Ｓにより各々伝送される高速差動信号の周波数の約１／１０以下である。このため、信号伝送時に第６、第７信号端子６３０Ｓ、６５０Ｓが、領域αで擬似的なグランド端子として機能する。よって、一対の第４信号端子６１０Ｓにより伝送される差動信号と一対の第５信号端子６２０Ｓにより伝送される差動信号とのクロストークを抑止することができる。第６、第７信号端子６３０Ｓ、６５０Ｓは、前記コネクタの制御信号用の端子や他の低速信号伝送用の端子として用いることが可能であるので、領域αにグランド端子が配置される場合に比べて、前記コネクタのＸ方向の寸法の低減を図ることができ、当該コネクタの小型化を図ることができる。
【００８２】
また、グランド端子６４０Ｇが一対の第４信号端子６１０Ｓのとの間に平面位置的に配置されている。よって、一対の第４信号端子６１０Ｓ間のインピーダンス調整が図られ、当該第４信号端子６１０Ｓにより伝送される差動信号の伝送特性が向上する。同様に、グランド端子６６０Ｇが一対の第５信号端子６２０Ｓのとの間に平面位置的に配置されている。よって、一対の第５信号端子６２０Ｓ間のインピーダンス調整が図られ、当該第５信号端子６２０Ｓにより伝送される差動信号の伝送特性が向上する。
【００８３】
ここで、図８Ａに示すように、上列の端子をＧ、Ｇ、Ｇ、Ｇ、Ｓ１、Ｓ１、Ｓ３、Ｇ、Ｓ３、Ｓ３の順で配列し、下列の端子をＧ、Ｇ、Ｇ、Ｇ、Ｇ、Ｇ、Ｓ４、Ｓ２、Ｓ２、Ｓ４の順で配列して実験１を行った。Ｓ１、Ｓ１は高速差動信号伝送用の差動ペアを構成し
ている。Ｓ２、Ｓ２も高速差動信号伝送用の差動ペアを構成している。Ｇはグランド端子である。Ｓ３、Ｓ４は低速の信号端子である。
【００８４】
この実験１では、Ｓ３、Ｓ４に信号を伝送させず、信号端子Ｓ１に周波数０〜１０ＧＨｚの掃引させた信号を伝送させた状態で、信号端子Ｓ２のノイズを測定した。その結果、図９Ａに示すグラフの通りとなった。
【００８５】
また、図８Ｂに示すように、上列の端子をＧ、Ｇ、Ｇ、Ｇ、Ｓ１、Ｓ１、Ｇ、Ｓ’’、Ｓ３、Ｓ３の順で配列し、下列の端子をＧ、Ｇ、Ｇ、Ｇ、Ｇ、Ｇ、Ｓ４、Ｓ４、Ｓ２、Ｓ２の順で配列して実験２を行った。Ｓ１、Ｓ１は高速差動信号伝送用の差動ペアを構成している。Ｓ２、Ｓ２も高速差動信号伝送用の差動ペアを構成している。Ｇはグランド端子である。Ｓ３、Ｓ４、Ｓ’’は低速の信号端子である。なお、Ｓ４はグランド端子に置換可能である。
【００８６】
この実験２では、Ｓ３、Ｓ４に信号を伝送させず、信号端子Ｓ１に周波数０〜１０ＧＨｚの掃引させた信号を伝送させ且つ信号端子Ｓ’’に周波数２４０ＭＨｚの信号を伝送させた状態で、Ｓ２のノイズを測定した。その結果、図９Ｂに示すグラフの通りとなった。
【００８７】
この実験１及び２のグラフを比較すると、実験２が実験１よりもノイズが低減したことがわかる。すなわち、実験２では、Ｓ１とＳ２との間の領域に二つのＳ４が存在しているので、Ｘ方向におけるＳ１とＳ２との間の距離が長くなり、クロストークの影響を受け難くすることができ、また、Ｓ’’の影響も受け難いことがわかる。
【実施例４】
【００８８】
次に、本発明の実施例４に係るコネクタについて図１０を参照しつつ説明する。図１０に示すコネクタは図示しない基板上に実装可能なレセプタクルであって、図示しないプラグが接続可能となっている。前記コネクタは、端子群Ｔ１、Ｔ２に代えて、端子群Ｔ３、Ｔ４を備えている点で、実施例３のコネクタと相違している以外、実施例３のコネクタと略同じ構成である。以下、その相違点についてのみ詳しく説明し、重複する説明については省略する。
【００８９】
端子群Ｔ３、Ｔ４は異なる規格に対応している。例えば、端子群Ｔ３、Ｔ４は、ＨＤＭＩ（登録商標）（High-Definition Multimedia Interface）の規格、ＵＳＢ３.０（Universal Serial Bus）の規格及びＤｉｓｐｌａｙＰｏｒｔの規格のうち何れかに対応した構成とすること
が可能である。但し、本実施例４では、端子群Ｔ３、Ｔ４が対応している規格を断定せずに説明する。
【００９０】
端子群Ｔ３は、図１０に示すように、複数の第４信号端子６１０Ｓ’と、複数の第５信号端子６２０Ｓ’と、第６信号端子６３０Ｓ’と、複数のグランド端子６４０Ｇ’と、複数の第７信号端子６５０Ｓ’と、複数のグランド端子６６０Ｇ’とを有している。
【００９１】
各第４信号端子６１０Ｓ’、第７信号端子６５０Ｓ’及びグランド端子６６０Ｇ’は、Ｙ方向に延びる導電性を有する金属板であり且つ実施例３の第４信号端子６１０Ｓと同じ形状となっている。各第４信号端子６１０Ｓ’、第７信号端子６５０Ｓ’及びグランド端子６６０Ｇ’は、中間部と、接触部と、垂下部と、テール部とを有している。なお、第４信号端子６１０Ｓ’、第７信号端子６５０Ｓ’及びグランド端子６６０Ｇ’の各部については、第４信号端子６１０Ｓと説明が重複するため省略する。
【００９２】
各第５信号端子６２０Ｓ’、第６信号端子６３０Ｓ’及びグランド端子６４０Ｇ’は、Ｙ方向に延びる導電性を有する金属板であり且つ実施例３の第６信号端子６３０Ｓと同じ
形状となっている。各第５信号端子６２０Ｓ’、第６信号端子６３０Ｓ’及びグランド端子６４０Ｇ’は、中間部と、接触部と、垂下部と、テール部とを有している。なお、第５信号端子６２０Ｓ’、第６信号端子６３０Ｓ’及びグランド端子６４０Ｇ’の各部については、第６信号端子６３０Ｓと説明が重複するため省略する。
【００９３】
上述した端子群Ｔ３は端子が上下２列で千鳥配置されている。端子群Ｔ３の上列は６２０Ｓ’、６２０Ｓ’、６４０Ｇ’、６３０Ｓ’、６４０Ｇ’、６２０Ｓ’、６２０Ｓ’、６４０Ｇ’の順でボディ４００にＸ方向に間隔をあけて一列で配列されている。端子群Ｔ３の下列は、６６０Ｇ’、６５０Ｓ’、６６０Ｇ’、６１０Ｓ’、６１０Ｓ’、６６０Ｇ’、６５０Ｓ’、６６０Ｇ’の順でボディ４００にＸ方向に間隔をあけて一列で配列されている。一対の第４信号端子６１０Ｓ’は、Ｘ方向において互いに隣り合い、高速差動信号伝送用の差動ペアを構成している。一対の第４信号端子６１０Ｓ’のうちの一方の第４信号端子６１０Ｓ’は、Ｘ方向において互いに隣り合うグランド端子６４０Ｇ’と第６信号端子６３０Ｓ’との間に平面位置的に配置されている。換言すると、グランド端子６４０Ｇ’と第６信号端子６３０Ｓ’とは、一方の第４信号端子６１０Ｓ’のＸ方向の平面位置的な両隣に配置されている。一対の第４信号端子６１０Ｓ’のうちの他方の第４信号端子６１０Ｓ’は、Ｘ方向において互いに隣り合う第６信号端子６３０Ｓ’と別のグランド端子６４０Ｇ’との間に平面位置的に配置されている。換言すると、第６信号端子６３０Ｓ’と別のグランド端子６４０Ｇ’とは、他方の第４信号端子６１０Ｓ’のＸ方向の平面位置的な両隣に配置されている。
【００９４】
一対の第５信号端子６２０Ｓ’は、Ｘ方向において互いに隣り合い、高速差動信号伝送用の差動ペアを構成している。一対の第５信号端子６２０Ｓ’のうちの一方の第５信号端子６２０Ｓ’は、Ｘ方向において互いに隣り合うグランド端子６６０Ｇ’と第７信号端子６５０Ｓ’との間に平面位置的に配置されている。換言すると、グランド端子６６０Ｇ’と第７信号端子６５０Ｓ’とは、一方の第５信号端子６２０Ｓ’のＸ方向の平面位置的な両隣に配置されている。一対の第５信号端子６２０Ｓ’のうちの他方の第５信号端子６２０Ｓ’は、Ｘ方向において互いに隣り合う第７信号端子６５０Ｓ’と別のグランド端子６６０Ｇ’との間に平面位置的に配置されている。換言すると、第７信号端子６５０Ｓ’と別のグランド端子６６０Ｇ’とは、他方の第５信号端子６２０Ｓ’のＸ方向の平面位置的な両隣に配置されている。
【００９５】
第６、第７信号端子６３０Ｓ’、６５０Ｓ’により各々伝送される信号の周波数は、第４、第５信号端子６１０Ｓ’、６２０Ｓ’により各々伝送される高速差動信号の周波数の約１／１０以下である。例えば、一対の第４信号端子６１０Ｓ’により伝送される高速差動信号の周波数が数ＧＨｚ〜１０数ＧＨｚ、一対の第５信号端子６２０Ｓ’により各々伝送される高速差動信号の周波数が数ＧＨｚ〜１０数ＧＨｚ、第６、第７信号端子６３０Ｓ’、６５０Ｓ’により伝送される信号の周波数は数百ＭＨｚ〜１ＧＨｚ程度とすることが可能である。これにより、信号伝送時に第６信号端子６３０Ｓ’は一対の第４信号端子６１０Ｓ’の間の平面位置的な位置で擬似的なグランド端子として機能し、第７信号端子６５０Ｓ’は一対の第５信号端子６２０Ｓ’の間の平面位置的な位置で擬似的なグランド端子として機能する。但し、第６、第７信号端子６３０Ｓ’、６５０Ｓ’はグランド端子と同等レベルの信号遮蔽機能（クロストーク低減機能）を発揮するものではない。
【００９６】
端子群Ｔ４は、複数の信号端子７１０Ｓ’と、複数の信号端子７２０Ｓ’と、複数のグランド端子７３０Ｇ’、７４０Ｇ’と、複数の他の端子とを有している。この端子群Ｔ４は、端子が上下２列で千鳥配置されている。端子群Ｔ４の上列は７４０Ｇ’、７２０Ｓ’、７２０Ｓ’、７４０Ｇ’、７２０Ｓ’、７２０Ｓ’、７４０Ｇ’、他の端子の順でボディ４００にＸ方向に間隔をあけて一列で配列されている。端子群Ｔ４の下列は他の端子、７３０Ｇ’、７１０Ｓ’、７１０Ｓ’、７３０Ｇ’、７１０Ｓ’、７１０Ｓ’、７３０Ｇ
’の順でボディ４００にＸ方向に間隔をあけて一列で配列されている。
【００９７】
各信号端子７２０Ｓ’及びグランド端子７４０Ｇ’はＹ方向に延びる導電性を有する金属板であり且つ第６信号端子６３０Ｓと同じ形状となっている。各信号端子７２０Ｓ’及びグランド端子７４０Ｇ’は、中間部と、接触部と、垂下部と、テール部とを有している。なお、信号端子７２０Ｓ’及びグランド端子７４０Ｇ’の各部については、第６信号端子６３０Ｓと説明が重複するため省略する。
【００９８】
各信号端子７１０Ｓ’及びグランド端子７３０Ｇ’はＹ方向に延びる導電性を有する金属板であり且つ第４信号端子６１０Ｓと同じ形状となっている。各信号端子７１０Ｓ’及びグランド端子７３０Ｇ’は、中間部と、接触部と、垂下部と、テール部とを有している。なお、信号端子７１０Ｓ’及びグランド端子７３０Ｇ’の各部については、第４信号端子６１０Ｓと説明が重複するため省略する。
【００９９】
一対の信号端子７１０Ｓ’は、Ｘ方向において互いに隣り合い、高速差動信号伝送用の差動ペアを構成している。一対の信号端子７２０Ｓ’は、Ｘ方向において互いに隣り合い、高速差動信号伝送用の差動ペアを構成している。全グランド端子７３０Ｇ’のうち一部のグランド端子７３０Ｇ’は、一対の信号端子７２０Ｓ’の間に平面位置的に各々配置されている。全グランド端子７４０Ｇ’のうち一部のグランド端子７４０Ｇ’は、一対の信号端子７１０Ｓ’の間に平面位置的に各々配置されている。
【０１００】
このようなコネクタによる場合、端子群Ｔ３において、グランド端子６４０Ｇ’と第６信号端子６３０Ｓ’とが、一方の第４信号端子６１０Ｓ’のＸ方向の平面位置的な両隣に配置され、第６信号端子６３０Ｓ’と別のグランド端子６４０Ｇ’とが、他方の第４信号端子６１０Ｓ’のＸ方向の平面位置的な両隣に配置されている。また、グランド端子６６０Ｇ’と第７信号端子６５０Ｓ’とが、一方の第５信号端子６２０Ｓ’のＸ方向の平面位置的な両隣に配置され、第７信号端子６５０Ｓ’と別のグランド端子６６０Ｇ’とは、他方の第５信号端子６２０Ｓ’のＸ方向の平面位置的な両隣に配置されている。第６、第７信号端子６３０Ｓ’、６５０Ｓ’により各々伝送される信号の周波数は、第４、第５信号端子６１０Ｓ’、６２０Ｓ’により各々伝送される高速差動信号の周波数の約１／１０以下である。このため、信号伝送時に第６信号端子６３０Ｓ’は一対の第４信号端子６１０Ｓ’の間の平面位置的な位置で擬似的なグランド端子として機能し、第７信号端子６５０Ｓ’は一対の第５信号端子６２０Ｓ’の間の平面位置的な位置で擬似的なグランド端子として機能する。よって、一対の第４信号端子６１０Ｓ’により伝送される差動信号と一対の第５信号端子６２０Ｓ’により伝送される差動信号とのクロストークを抑止することができる。第６、第７信号端子６３０Ｓ’、６５０Ｓ’は、前記コネクタの制御信号用の端子や他の低速信号伝送用の端子として用いることが可能であるので、第４信号端子６１０Ｓ’間の平面位置的な位置及び／又は第５信号端子６２０Ｓ’間の平面位置的な位置にグランド端子が配置される場合に比べて、前記コネクタのＸ方向の寸法の低減を図ることができ、当該コネクタの小型化を図ることができる。
【実施例５】
【０１０１】
次に、本発明の実施例５に係るコネクタについて図１１を参照しつつ説明する。図１１に示すコネクタは図示しない基板上に実装可能なレセプタクルであって、図示しないプラグが接続可能となっている。前記コネクタは、端子群Ｔ４を備えておらず且つ端子群Ｔ３’の端子の配列が実施例４の端子群Ｔ３の端子の配列と相違している以外、実施例４のコネクタと略同じ構成である。以下、その相違点についてのみ詳しく説明し、重複する説明については省略する。なお、端子群は、Ｔ３に’を付して実施例４の端子群Ｔ３と区別する。
【０１０２】
ボディ４００及びシェル５００は、Ｘ方向の寸法が実施例４のボディ４００及びシェル５００のＸ方向の寸法よりも小さくなっている以外、実施例４のボディ４００及びシェル５００と同じ構成である。
【０１０３】
端子群Ｔ３’は、端子が上下２列で千鳥配置されていない点で、端子群Ｔ３と相違している。具体的には以下の通りである。端子群Ｔ３’は、図１１に示すように、端子が上下２列で配置されている。端子群Ｔ３’の上列は６２０Ｓ’、６２０Ｓ’、６４０Ｇ’、６３０Ｓ’、６３０Ｓ’、６２０Ｓ’、６２０Ｓ’、６４０Ｇ’の順でボディ４００にＸ方向に間隔をあけて一列で配列されている。端子群Ｔ３’の下列は、６５０Ｓ’、６５０Ｓ’、６６０Ｇ’、６１０Ｓ’、６１０Ｓ’、６５０Ｓ’、６５０Ｓ’、６６０Ｇ’の順でボディ４００にＸ方向に間隔をあけて一列で配列されている。なお、上列、下列の端子の形状は、実施例４の上列、下列の端子の形状と同じである。
【０１０４】
一対の第４信号端子６１０Ｓ’は、Ｚ方向においてボディ４００を挟んで一対の第６信号端子６３０Ｓ’に対向する位置に配置されている。一対の第５信号端子６２０Ｓ’は、Ｚ方向においてボディ４００を挟んで一対の第７信号端子６５０Ｓ’に対向する位置に配置されている。グランド端子６４０Ｇ’は、Ｚ方向においてボディ４００を挟んでグランド端子６６０Ｇ’に対向する位置に配置されている。
【０１０５】
第６、第７信号端子６３０Ｓ’、６５０Ｓ’により各々伝送される信号の周波数は、第４、第５信号端子６１０Ｓ’、６２０Ｓ’により各々伝送される高速差動信号の周波数の約１／１０以下である。例えば、一対の第４信号端子６１０Ｓ’により伝送される高速差動信号の周波数が数ＧＨｚ〜１０数ＧＨｚ、一対の第５信号端子６２０Ｓ’により各々伝送される高速差動信号の周波数が数ＧＨｚ〜１０数ＧＨｚ、第６、第７信号端子６３０Ｓ’、６５０Ｓ’により伝送される信号の周波数は数百ＭＨｚ〜１ＧＨｚ程度とすることが可能である。これにより、信号伝送時に第６信号端子６３０Ｓ’は第４信号端子６１０Ｓ’に対して擬似的なグランド端子として機能し、第７信号端子６５０Ｓ’は第５信号端子６２０Ｓ’に対して位置で擬似的なグランド端子として機能する。但し、第６、第７信号端子６３０Ｓ’、６５０Ｓ’はグランド端子と同等レベルの信号遮蔽機能（クロストーク低減機能）を発揮するものではない。
【０１０６】
このようなコネクタによる場合、端子群Ｔ３’において、一対の第４信号端子６１０Ｓ’と一対の第６信号端子６３０Ｓ’とがボディ４００を挟んで互いに対向する位置に配置され、一対の第５信号端子６２０Ｓ’と一対の第７信号端子６５０Ｓ’とがボディ４００を挟んで互いに対向する位置に配置されている。第６、第７信号端子６３０Ｓ’、６５０Ｓ’により各々伝送される信号の周波数は、第４、第５信号端子６１０Ｓ’、６２０Ｓ’により各々伝送される高速差動信号の周波数の約１／１０以下である。このため、信号伝送時に一対の第６信号端子６３０Ｓ’は一対の第４信号端子６１０Ｓ’に対して擬似的なグランド端子として機能し、一対の第７信号端子６５０Ｓ’は一対の第５信号端子６２０Ｓ’に対して擬似的なグランド端子として機能する。よって、一対の第４信号端子６１０Ｓ’により伝送される差動信号と一対の第５信号端子６２０Ｓ’により伝送される差動信号とのクロストークを抑止することができる。第６、第７信号端子６３０Ｓ’、６５０Ｓ’は、前記コネクタの制御信号用の端子や他の低速信号伝送用の端子として用いることが可能であるので、ボディ４００を挟んで第４信号端子６１０Ｓ’と対向する位置及び／又はボディ４００を挟んで第５信号端子６２０Ｓ’と対向する位置にグランド端子が配置される場合に比べて、前記コネクタのＸ方向の寸法の低減を図ることができ、当該コネクタの小型化を図ることができる。
【０１０７】
なお、上述したコネクタは、上記実施例に限定されるものではなく、特許請求の範囲の記載範囲において任意に設計変更することが可能である。以下、図１２Ａ〜図１６Ｆを参
照しつつ、設計変形例について詳しく述べる。
【０１０８】
上記実施例１では、コネクタは、一対の第１、第２信号用端子３１０Ｓ、３２０Ｓと、Ｘ方向における一対の第１信号用端子３１０Ｓのうちの一方の第１信号用端子３１０Ｓと一対の第２信号用端子３２０Ｓのうちの一方の第２信号用端子３２０Ｓとの間に間隔をあけて配置された２本の第３信号端子３３０Ｓとを備えているとした。しかし、本発明の第１コネクタは、ボディに第１方向に一列で配列された第１、第２及び第３信号端子を備えており、前記第３信号端子は前記第１、第２信号端子の間に配置されており、前記第３信号端子により伝送される信号の周波数が、前記第１、第２信号端子により伝送される信号の周波数の約１／１００以下である限り任意に設計変更することが可能である。例えば、１本又は３本以上の第３信号端子が第１、第２信号端子の間に配置された態様とすることが可能である。また、前記第１コネクタは、ボディに複数の端子がＺ方向（上下方向）に複数列で配列された構成とすることが可能である。この場合、前記複数列のうちの一列に第１、第２及び第３信号端子が上述の通り配置されている。それ以外の端子は任意であり、どのような端子を用いても構わない。
【０１０９】
上記実施例２では、コネクタは、一対の第１、第２信号用端子３１０Ｓ、３２０Ｓと、Ｘ方向における一対の第１信号用端子３１０Ｓのうちの一方の第１信号用端子３１０Ｓと一対の第２信号用端子３２０Ｓのうちの一方の第２信号用端子３２０Ｓとの間にＸ方向に間隔をあけて配置された２本のグランド端子３４０Ｇ及び第３信号用端子３３０Ｓとを備えているとした。しかし、本発明の第２コネクタは、ボディに第１方向に一列で配列された第１、第２、第３信号端子及びグランド端子を備えており、前記第３信号端子及びグランド端子は前記第１、第２信号端子の間に配置されており、前記第３信号端子により伝送される信号の周波数が、前記第１、第２信号端子により伝送される信号の周波数の約１／１０以下である限り任意に設計変更することが可能である。例えば、一本のグランド端子及び第３信号端子が第１、第２信号端子の間に配置された態様とすることが可能である。
【０１１０】
また、図１２Ａに示すように、２本のグランド端子３４０Ｇと１本の第３信号用端子３３０Ｓが、Ｘ方向における一対の第１信号用端子３１０Ｓのうちの一方の第１信号用端子３１０Ｓと一対の第２信号用端子３２０Ｓのうちの一方の第２信号用端子３２０Ｓとの間にＸ方向に間隔をあけて配置されている態様とすることが可能である。なお、２本のグランド端子と１本の第３信号用端子とは、３４０Ｇ、３４０Ｇ、３３０Ｓの順、３３０Ｓ、３４０Ｇ、３４０Ｇの順で第１、第２信号用端子間に配置することが可能である。また、図１２Ｂに示すように、１本のグランド端子３４０Ｇと２本の第３信号用端子３３０Ｓが、Ｘ方向における一対の第１信号用端子３１０Ｓのうちの一方の第１信号用端子３１０Ｓと一対の第２信号用端子３２０Ｓのうちの一方の第２信号用端子３２０Ｓとの間にＸ方向に間隔をあけて配置されている態様とすることが可能である。なお、１本のグランド端子と２本の第３信号用端子とは、３４０Ｇ、３３０Ｓ、３３０Ｓの順、３３０Ｓ、３３０Ｓ、３４０Ｇの順で第１、第２信号用端子間に配置することが可能である。
【０１１１】
また、前記第２コネクタは、ボディに複数の端子がＺ方向（上下方向）に複数列で配列された構成とすることが可能である。この場合、前記複数列のうちの一列に第１、第２、第３信号端子及びグランド端子が上述の通り配置されている。それ以外の端子は任意であり、どのような端子を用いても構わない。
【０１１２】
また、第３信号端子３３０Ｓは、一方の第１、第２信号端子３１０Ｓ、３２０Ｓの間にだけ配置されるものではない。例えば、第３信号端子３３０Ｓは、図１３Ａ、図１３Ｂ及び図１３Ｃに示すように、Ｘ方向における他方の第１、第２信号端子３１０Ｓ、３２０Ｓの隣（すなわち、端子群のＸ方向の両端の第１、第２信号端子の隣）に配置することが可能である。なお、Ｘ方向における他方の第１、第２信号端子３１０Ｓ、３２０Ｓの隣に、
第３信号端子３３０Ｓに代えて、グランド端子を配置することも可能である。このように端子群のＸ方向の両端の第１、第２信号端子の隣に第３信号端子３３０Ｓ又はグランド端子を配置することにより、端子群のＸ方向の両端に位置する一対の第１信号端子３１０Ｓ間及び一対の第２信号端子３２０Ｓ間の各々インピーダンス整合を図ることができる。
【０１１３】
実施例１及び２では、一対の第１、第２信号端子３１０Ｓ、３２０Ｓが差動ペアを構成しているとした。しかし、第１、第２信号端子は、少なくとも一つずつあれば良い。すなわち、第１、第２信号端子はシングルエンド用の端子とすることが可能である。また、一対の第１信号端子を差動ペア用の端子とし、第２信号端子をシングルエンド用の端子とすることが可能である。その逆も可能である。また、上述した第１、第２、第３信号端子３１０Ｓ、３２０Ｓ、３３０Ｓ及びグランド端子３４０Ｇは、中間部と、接触部と、垂下部と、テール部とを有するとした。しかし、第１、第２、第３信号端子及びグランド端子の形状は任意に設計変更することが可能である。例えば、第１、第２、第３信号端子及びグランド端子のテール部をＺ方向に垂下させ、基板のスルーホールに挿入可能とすることが可能である。また、第１、第２、第３信号端子及びグランド端子をＹ方向に延びる直線状の板とすることができる。なお、第１、第２、第３信号端子及びグランド端子は同じ形状である必要はなく、各々形状が異なっていても構わない。
【０１１４】
実施例３では、コネクタは、６２０Ｓ、６２０Ｓ、６３０Ｓ、６３０Ｓ、６４０Ｇ、６７０Ｓの順でボディ４００に配列された上列の端子と、６６０Ｇ、６５０Ｓ、６５０Ｓ、６１０Ｓ、６１０Ｓの順でボディ４００に配列された下列の端子とを備えているとした。しかし、本発明の第３コネクタは、ボディに設けられた第４信号端子と、前記ボディに前記第４信号端子と異なる高さ位置で第１方向に一列に配列された第５、第６信号端子とを備えており、前記第６信号端子は、前記第１方向における前記第４信号端子と前記第５信号端子との間の領域に配置されており、前記第６信号端子により伝送される信号の周波数が、前記第４信号端子により伝送される信号の周波数の約１／１０以下である限り任意に設計変更することが可能である。
【０１１５】
例えば、Ｘ方向における第４信号端子６１０Ｓと第５信号端子６２０Ｓとの間の領域αに、一つ又は３つ以上の第６信号端子６３０Ｓ及び／又は一つ又は３つ以上の第７信号端子６５０Ｓが配置された態様とすることが可能である。また、図１４Ａ〜図１４Ｄに示すように、領域αに、第６信号端子６３０Ｓ、第７信号端子６５０Ｓ及びグランド端子６８０Ｇ、６９０Ｇ（第１、第２グランド端子）が配置されている態様とすることが可能である。更に、図１４Ｅ〜図１４Ｈに示すように、領域αに、第６信号端子６３０Ｓに代えて、グランド端子６８０Ｇを配置することが可能である。図１４Ｅ〜図１４Ｈに示す変形例の場合、領域αに一つ又は３つ以上のグランド端子６８０Ｇが配置された態様に設計変形することが可能である。また、第１０信号端子６７０に代えて、グランド端子（第５グランド端子）を配置することも可能である。グランド端子６４０Ｇ、６６０Ｇは第８、第９信号端子に置換可能である。第８、第９信号端子により伝送される信号の周波数は、第４、第５信号端子により伝送される信号の周波数の約１／１０以下とする。なお、第７信号端子６５０Ｓ、グランド端子６４０Ｇ、６６０Ｇ及び第１０信号端子６７０は省略することが可能である。また、端子群Ｔ２も省略することが可能である。
【０１１６】
実施例３では、端子群Ｔ１は上下２列で千鳥配置されているとしたが、これに限定されるものではない。例えば、図１５Ａに示すように、一対の第４信号端子６１０Ｓが、図示しないボディを挟んで一対のグランド端子６４０Ｇに対向する位置に配置され、一対の第５信号端子６２０Ｓが前記ボディを挟んで一対のグランド端子６６０Ｇに対向する位置に配置されている。この場合、領域αにおいて、一対の第６信号端子６３０Ｓが前記ボディを挟んで一対の第７信号端子６５０Ｓに対向する位置に配置されている。また、図１５Ｂ及び図１５Ｃに示すように、領域αにおいて、一対の第６信号端子６３０Ｓの一方はグランド端子６８０Ｇに、一対の第７信号端子６５０Ｓの一方はグランド端子６９０Ｇに置換可能である。更に、一対のグランド端子６４０Ｇ、６６０Ｇの少なくとも一方を第８、第９信号端子に置換することが可能である。第８、第９信号端子により伝送される信号の周波数は、第４、第５信号端子により伝送される信号の周波数の約１／１０以下とする。
【０１１７】
上記した一対の第４、第５信号端子６１０Ｓ、６２０Ｓが差動ペアを構成しているとした。しかし、第４、第５信号端子は、少なくとも一つずつあれば良い。すなわち、第４、第５信号端子は、シングルエンド用の端子とすることが可能である。また、一対の第４信号端子を差動ペア用の端子とし、第５信号端子をシングルエンド用の端子とすることが可能である。その逆も可能である。この場合、図１５Ａ〜図１５Ｃの例では、第４信号端子６１０Ｓが、図示しないボディを挟んでグランド端子６４０Ｇに対向する位置に配置され、第５信号端子６２０Ｓが前記ボディを挟んでグランド端子６６０Ｇに対向する位置に配置された構成とすることが可能である。この場合も、グランド端子６４０Ｇ、６６０Ｇは第８、第９信号端子に置換可能である。第８、第９信号端子により伝送される信号の周波数は、第４、第５信号端子により伝送される信号の周波数の約１／１０以下とする。
【０１１８】
また、上述した第４、第５、第６、第７、第１０信号端子６１０Ｓ、６２０Ｓ、６３０Ｓ、６５０Ｓ、６７０Ｓ及びグランド端子６４０Ｇ、６６０Ｇは、中間部と、接触部と、垂下部と、テール部とを有するとした。しかし、第４、第５、第６、第７、第１０信号端子及びグランド端子の形状は任意に設計変更することが可能である。例えば、第４、第５、第６、第７、第１０信号端子及びグランド端子のテール部をＺ方向に垂下させ、基板のスルーホールに挿入可能とすることが可能である。また、第４、第５、第６、第７、第１０信号端子及びグランド端子をＹ方向に延びる直線状の板とすることができる。なお、第４、第５、第６、第７、第１０信号端子及びグランド端子は同じ形状である必要はなく、各々形状が異なっていても構わない。第４信号端子が上列に、第５、第６信号端子が下列に配置された態様とすることが可能である。
【０１１９】
また、前記第３コネクタは、ボディに複数の端子がＺ方向（上下方向）に三列以上で配列された構成とすることが可能である。この場合、前記３列以上の列のうちの任意の列に第４信号端子が、第４信号端子の列と異なる列に第５、第６信号端子が上述の通り配置されている。それ以外の端子は任意であり、どのような端子を用いても構わない。
【０１２０】
実施例４では、コネクタは、６２０Ｓ’、６２０Ｓ’、６４０Ｇ’、６３０Ｓ’、６４０Ｇ’、６２０Ｓ’、６２０Ｓ’、６４０Ｇ’の順でボディ４００に配列された上列の端子と、６６０Ｇ’、６５０Ｓ’、６６０Ｇ’、６１０Ｓ’、６１０Ｓ’、６６０Ｇ’、６５０Ｓ’、６６０Ｇ’の順でボディ４００に配列された下列の端子とを備えているとした。しかし、これに限定されるものではない。例えば、本発明の第４コネクタとして、ボディに設けられた第４信号端子と、前記ボディに前記第４信号端子と異なる高さ位置で第１方向に一列に配列された第５信号端子及び複数の第６信号端子とを備えており、前記第４信号端子は第１方向において隣り合う前記第６信号端子の間に平面位置的に配置されており、前記第６信号端子により伝送される信号の周波数が、前記第４信号端子により伝送される信号の周波数の約１／１０以下である構成とすることが可能である。或いは、本発明の第５コネクタとして、ボディに設けられた第４信号端子と、前記ボディに前記第４信号端子と異なる高さ位置で第１方向に一列に配列された第５、第６信号端子及びグランド端子とを備えており、前記第４信号端子は第１方向において隣り合う前記第６信号端子と前記グランド端子との間に平面位置的に配置されており、前記第６信号端子により伝送される信号の周波数が、前記第４信号端子により伝送される信号の周波数の約１／１０以下である構成とすることが可能である。
【０１２１】
例えば、図１６Ａに示すように、一方の第４信号端子６１０Ｓ’が、Ｘ方向において互いに隣り合う第６信号端子６３０Ｓ’間に平面位置的に配置されており、他方の第４信号端子６１０Ｓ’が、Ｘ方向において互いに隣り合う第６信号端子６３０Ｓ’との間に平面位置的に配置されており、一方の第５信号端子６２０Ｓ’が、Ｘ方向において互いに隣り合う第７信号端子６５０Ｓ’間に平面位置的に配置されており、他方の第５信号端子６２０Ｓ’が、Ｘ方向において互いに隣り合う第７信号端子６５０Ｓ’間に平面位置的に配置されている態様とすることが可能である。また、図１６Ｂに示すように、一方の第４信号端子６１０Ｓ’が、Ｘ方向において互いに隣り合う第６信号端子６３０Ｓ’とグランド端子６４０Ｇ’との間に平面位置的に配置されており、他方の第４信号端子６１０Ｓ’が、Ｘ方向において互いに隣り合うグランド端子６４０Ｇ’と別の第６信号端子６３０Ｓ’との間に平面位置的に配置されており、一方の第５信号端子６２０Ｓ’が、Ｘ方向において互いに隣り合う第７信号端子６５０Ｓ’とグランド端子６６０Ｇ’との間に平面位置的に配置されており、他方の第５信号端子６２０Ｓ’が、Ｘ方向において互いに隣り合うグランド端子６６０Ｇ’と別の第７信号端子６５０Ｓ’との間に平面位置的に配置されている態様とすることが可能である。
【０１２２】
図１６Ｃに示すように、一方の第４信号端子６１０Ｓ’が、Ｘ方向において互いに隣り合う第６信号端子６３０Ｓ’間に平面位置的に配置されており、他方の第４信号端子６１０Ｓ’が、Ｘ方向において互いに隣り合う第６信号端子６３０Ｓ’とグランド端子６４０Ｇ’との間に平面位置的に配置されており、一方の第５信号端子６２０Ｓ’が、Ｘ方向において互いに隣り合う第７信号端子６５０Ｓ’間に平面位置的に配置されており、他方の第５信号端子６２０Ｓ’が、Ｘ方向において互いに隣り合う第７信号端子６５０Ｓ’とグランド端子６６０Ｇ’との間に平面位置的に配置されている態様とすることが可能である。また、図１６Ｄに示すように、一方の第４信号端子６１０Ｓ’が、Ｘ方向において互いに隣り合うグランド端子６４０Ｇ’と第６信号端子６３０Ｓ’との間に平面位置的に配置されており、他方の第４信号端子６１０Ｓ’が、Ｘ方向において互いに隣り合う第６信号端子６３０Ｓ’間に平面位置的に配置されており、一方の第５信号端子６２０Ｓ’が、Ｘ方向において互いに隣り合うグランド端子６６０Ｇ’と第７信号端子６５０Ｓ’との間に平面位置的に配置されており、他方の第５信号端子６２０Ｓ’が、Ｘ方向において互いに隣り合う第７信号端子６５０Ｓ’間に平面位置的に配置されている態様とすることが可能である。
【０１２３】
図１６Ｅに示すように、一方の第４信号端子６１０Ｓ’が、Ｘ方向において互いに隣り合うグランド端子６４０Ｇ’間に平面位置的に配置されており、他方の第４信号端子６１０Ｓ’が、Ｘ方向において互いに隣り合うグランド端子６４０Ｇ’と第６信号端子６３０Ｓ’との間に平面位置的に配置されており、一方の第５信号端子６２０Ｓ’が、Ｘ方向において互いに隣り合う第７信号端子６５０Ｓ’とグランド端子６６０Ｇ’と間に平面位置的に配置されており、他方の第５信号端子６２０Ｓ’が、Ｘ方向において互いに隣り合うグランド端子６６０Ｇ’間に平面位置的に配置されている態様とすることが可能である。また、図１６Ｆに示すように、一方の第４信号端子６１０Ｓ’が、Ｘ方向において互いに隣り合う第６信号端子６３０Ｓ’とグランド端子６４０Ｇ’との間に平面位置的に配置されており、他方の第４信号端子６１０Ｓ’が、Ｘ方向において互いに隣り合うグランド端子６４０Ｇ’間に平面位置的に配置されており、一方の第５信号端子６２０Ｓ’が、Ｘ方向において互いに隣り合うグランド端子６６０Ｇ’間に平面位置的に配置されており、他方の第５信号端子６２０Ｓ’が、Ｘ方向において互いに隣り合うグランド端子６４０Ｇ’と第７信号端子６５０Ｓ’との間に平面位置的に配置されている態様とすることが可能である。なお、第７信号端子６５０Ｓ’及びグランド端子６４０Ｇ’、６６０Ｇ’は省略することが可能である。また、端子群Ｔ４も省略することが可能である。
【０１２４】
実施例４では、一対の第４、第５信号端子６１０Ｓ’、６２０Ｓ’が差動ペアを構成しているとした。しかし、第４、第５信号端子は、少なくとも一つずつあれば良い。すなわち、第４、第５信号端子は、シングルエンド用の端子とすることが可能である。また、一対の第４信号端子を差動ペア用の端子とし、第５信号端子をシングルエンド用の端子とすることが可能である。その逆も可能である。第４信号端子がシングルエンド用の端子である場合、前記第４信号端子は第１方向において隣り合う第６信号端子間又は第１方向において隣り合う第６信号端子とグランド端子との間に平面位置的に配置すると良い。
【０１２５】
また、前記第４、５コネクタは、ボディに複数の端子がＺ方向（上下方向）に三列以上で配列された構成とすることが可能である。前者の場合、前記３列以上の列のうちの任意の列に第４信号端子が、第４信号端子の列と異なる列に第５、第６信号端子が上述の通り配置されている。それ以外の端子は任意であり、どのような端子を用いても構わない。後者の場合、前記３列以上の列のうちの任意の列に第４信号端子が、第４信号端子の列と異なる列に第５、第６信号端子及びグランド端子が上述の通り配置されている。それ以外の端子は任意であり、どのような端子を用いても構わない。
【０１２６】
実施例５では、コネクタは、６２０Ｓ’、６２０Ｓ’、６４０Ｇ’、６３０Ｓ’、６３０Ｓ’、６２０Ｓ’、６２０Ｓ’、６４０Ｇ’の順でボディ４００に配列された上列の端子と、６５０Ｓ’、６５０Ｓ’、６６０Ｇ’、６１０Ｓ’、６１０Ｓ’、６５０Ｓ’、６５０Ｓ’、６６０Ｇ’の順でボディ４００に配列された下列の端子とを備えているとした。しかし、本発明の第６コネクタは、ボディに設けられた第４信号端子と、前記ボディに前記第４信号端子と異なる高さ位置で第１方向に一列に配列された第５、第６信号端子とを備えた構成とすることが可能である。前記第４信号端子は、前記ボディを挟んで前記第６信号端子に対向する位置に配置されている。前記第６信号端子により伝送される信号の周波数が、前記第４信号端子により伝送される信号の周波数の約１／１０以下である限り任意に設計変更することが可能である。
【０１２７】
例えば、一対の第６信号端子６３０Ｓ’のうちの一方はグランド端子に置換可能である。この場合、一対の第４信号端子６１０Ｓ’のうちの一方が第６信号端子６３０Ｓ’とボディを挟んで対向する位置に配置され、他方が前記グランド端子とボディを挟んで対向する位置に配置される。同様に、一対の第７信号端子６５０Ｓ’のうちの一方はグランド端子に置換可能である。この場合、一対の第５信号端子６２０Ｓ’のうちの一方が第７信号端子６５０Ｓ’とボディを挟んで対向する位置に配置され、他方が前記グランド端子とボディを挟んで対向する位置に配置される。
【０１２８】
実施例５では、一対の第４、第５信号端子６１０Ｓ’、６２０Ｓ’が差動ペアを構成しているとした。しかし、第４、第５信号端子は、少なくとも一つずつあれば良い。すなわち、第４、第５信号端子は、シングルエンド用の端子とすることが可能である。また、一対の第４信号端子を差動ペア用の端子とし、第５信号端子をシングルエンド用の端子とすることが可能である。その逆も可能である。第４信号端子がシングルエンド用の端子である場合、前記第４信号端子はボディを挟んで第６信号端子に対向する位置に配置されていると良い。
【０１２９】
また、上述した第４、第５、第６信号端子６１０Ｓ’、６２０Ｓ’、６５０Ｓ’及びグランド端子６４０Ｇ’、６６０Ｇ’は、中間部と、接触部と、垂下部と、テール部とを有するとした。しかし、第４、第５、第６信号端子及びグランド端子の形状は任意に設計変更することが可能である。例えば、第４、第５、第６信号端子及びグランド端子のテール部をＺ方向に垂下させ、基板のスルーホールに挿入可能とすることが可能である。また、第４、第５、第６信号端子及びグランド端子をＹ方向に延びる直線状の板とすることができる。なお、第４、第５、第６信号端子及びグランド端子は同じ形状である必要はなく、各々形状が異なっていても構わない。第４信号端子が上列に、第５、第６信号端子が下列に配置された態様とすることが可能である。
【０１３０】
また、前記第６コネクタは、ボディに複数の端子がＺ方向（上下方向）に三列以上で配列された構成とすることが可能である。この場合、前記３列以上の列のうちの任意の列に第４信号端子が、第４信号端子の列と異なる列に第５、第６信号端子が上述の通り配置されている。それ以外の端子は任意であり、どのような端子を用いても構わない。
【０１３１】
上記実施例１〜５では、ボディは、本体部と、凸部とを有するとした。しかし、ボディは、上述した端子を保持し得るものである限り任意に設計変更することが可能である。すなわち、端子は、ボディにインサート成型により一部が埋設されていても良いし、ボディの孔や溝に圧入されていても良い。
【０１３２】
なお、上記実施例１〜５では、コネクタの各部を構成する素材、形状、寸法、数及び配置等はその一例を説明したものであって、同様の機能を実現し得る限り任意に設計変更することが可能である。上述したコネクタはレセプタクルであるとしたが、プラグとすることも可能である。具体的には、上述した信号端子のテール部にケーブルの芯線を各々直接接続する又は信号端子のテール部に基板を接続し、当該基板にケーブルを接続することにより、プラグコネクタとすることが可能である。
【符号の説明】
【０１３３】
１００・・・・・ボディ
１１０・・・・ボディ本体
１２０・・・・凸部
２００・・・・・シェル
Ｔ・・・・・・・端子群
３１０Ｓ・・・第１信号端子
３２０Ｓ・・・第２信号端子
３３０Ｓ・・・第３信号端子
Ｔ’・・・・・・端子群
３１０Ｓ・・・第１信号端子
３２０Ｓ・・・第２信号端子
３３０Ｓ・・・第３信号端子
３４０Ｇ・・・グランド端子
４００・・・・・ボディ
４１０・・・・ボディ本体
４２０・・・・凸部
５００・・・・・シェル
Ｔ１・・・・・・端子群
６１０Ｓ・・・第４信号端子
６２０Ｓ・・・第５信号端子
６３０Ｓ・・・第６信号端子
６４０Ｇ・・・グランド端子（第３グランド端子）
６５０Ｓ・・・第７信号端子
６６０Ｇ・・・グランド端子（第４グランド端子）
６７０Ｓ・・・第１０信号端子
６８０Ｇ・・・グランド端子（第１グランド端子）
６９０Ｇ・・・グランド端子（第２グランド端子）
Ｔ２・・・・・・端子群
７１０Ｓ・・・信号端子
７２０Ｓ・・・信号端子
７３０Ｇ・・・グランド端子
７４０Ｇ・・・グランド端子
Ｔ３、Ｔ３’・・端子群
６１０Ｓ’・・第４信号端子
６２０Ｓ’・・第５信号端子
６３０Ｓ’・・第６信号端子
６４０Ｇ’・・グランド端子
６５０Ｓ’・・第７信号端子
６６０Ｇ’・・グランド端子
Ｔ４・・・・・・端子群
７１０Ｓ’・・信号端子
７２０Ｓ’・・信号端子
７３０Ｇ’・・グランド端子
７４０Ｇ’・・グランド端子
Ｘ・・・・・・第１方向
【図１】
0005893782.tif 000002
【図２Ａ】
0005893782.tif 000003
【図２Ｂ】
0005893782.tif 000004
【図２Ｃ】
0005893782.tif 000005
【図３】
0005893782.tif 000006
【図４】
0005893782.tif 000007
【図５】
0005893782.tif 000008
【図６】
0005893782.tif 000009
【図７Ａ】
0005893782.tif 000010
【図７Ｂ】
0005893782.tif 000011
【図８Ａ】
0005893782.tif 000012
【図８Ｂ】
0005893782.tif 000013
【図１０】
0005893782.tif 000014
【図１１】
0005893782.tif 000015
【図１２Ａ】
0005893782.tif 000016
【図１２Ｂ】
0005893782.tif 000017
【図１３Ａ】
0005893782.tif 000018
【図１３Ｂ】
0005893782.tif 000019
【図１３Ｃ】
0005893782.tif 000020
【図１４Ａ】
0005893782.tif 000021
【図１４Ｂ】
0005893782.tif 000022
【図１４Ｃ】
0005893782.tif 000023
【図１４Ｄ】
0005893782.tif 000024
【図１４Ｅ】
0005893782.tif 000025
【図１４Ｆ】
0005893782.tif 000026
【図１４Ｇ】
0005893782.tif 000027
【図１４Ｈ】
0005893782.tif 000028
【図１５Ａ】
0005893782.tif 000029
【図１５Ｂ】
0005893782.tif 000030
【図１５Ｃ】
0005893782.tif 000031
【図１６Ａ】
0005893782.tif 000032
【図１６Ｂ】
0005893782.tif 000033
【図１６Ｃ】
0005893782.tif 000034
【図１６Ｄ】
0005893782.tif 000035
【図１６Ｅ】
0005893782.tif 000036
【図１６Ｆ】
0005893782.tif 000037
【図９Ａ】
0005893782.tif 000038
【図９Ｂ】
0005893782.tif 000039